【誤訳訂正書】
【提出日】平成22年8月16日(2010.8.16)
【誤訳訂正１】
【訂正対象書類名】明細書
【訂正対象項目名】全文
【訂正方法】変更
【訂正の内容】
【書類名】  明細書
【発明の名称】  帯域外前方誤り訂正
【特許請求の範囲】
【請求項１】  通信システムの伝送誤りを訂正する方法であって、前記方法は、
帯域内チャネルの間にベアラデータパケットを受信することと、
前記帯域内チャネルとは異なる帯域外チャネルの間に、前記ベアラデータパケットに対応する誤り訂正データパケットを受信することと、
前記ベアラデータパケットを前記誤り訂正データパケットで訂正することとを含み、
前記帯域外チャネルは、受信機に割り当てられたオーバヘッド定格に基づいて割り当てられ、前記オーバヘッド定格は、ベアラデータパケットを受信する際の品質に基づいて前記受信機に割り当てられている方法。
【請求項２】  前記方法は、さらに、
前記帯域内チャネルの間に、前記誤り訂正データパケットに対応する複数のベアラデータパケットを受信することと、
前記複数のベアラデータパケットを前記誤り訂正データパケットで訂正することと、
を含む、請求項１に記載の方法。
【請求項３】  帯域内チャネルの第１時間期間の間に複数のベアラデータパケットを受信することと、
前記第１時間期間とは異なる帯域外チャネルの第２時間期間の間に、前記複数のベアラデータパケットに対応する誤り訂正データパケットを受信することと、
前記複数のベアラデータパケットを前記誤り訂正データパケットで訂正することと、
を含む、通信システムの伝送誤りを訂正する方法。
【請求項４】  通信システムの伝送誤りを訂正する方法であって、前記方法は、
複数の時間フレームのそれぞれを、少なくとも１つの帯域内時間スロットおよび少なくとも１つの帯域外時間スロットに分割することと、
前記少なくとも１つの帯域内時間スロットの間に複数のベアラデータパケットを受信することと、
前記少なくとも１つの帯域外時間スロットの間に、前記複数のベアラデータパケットに対応する誤り訂正データパケットを受信することと、
前記誤り訂正データパケットを使用して前記複数のベアラデータパケットを訂正することとを含み、
前記帯域外時間スロットは、受信機に割り当てられたオーバヘッド定格に基づいて割り当てられ、前記オーバヘッド定格は、ベアラデータパケットを受信する際の品質に基づいて前記受信機に割り当てられている方法。
【請求項５】  前記ベアラデータパケットおよび前記誤り訂正データパケットがともに、前記複数の時間フレームの内の１つの間に受信される、請求項４に記載の方法。
【請求項６】  前記ベアラデータパケットが、前記複数の時間フレームの内の１つの間に受信され、前記誤り訂正データパケットが前記複数の時間フレームの内の別の１つの間に受信される、請求項４に記載の方法。
【請求項７】  さらに、前記誤り訂正データパケットを使用して、前記複数のベアラデータパケットを訂正するステップを備える、請求項４に記載の方法。
【請求項８】  通信端末であって、前記通信端末は、
受信機と、
前記受信機に電気的に接続された誤り訂正デコーダと、
前記受信機および前記誤り訂正デコーダに電気的に接続されたベアラ／ＦＥＣデータレジスタと、
前記誤り訂正デコーダおよび前記ベアラ／ＦＥＣデータレジスタに電気的に接続されたプロセッサとを備え、
前記プロセッサは、
帯域内時間スロットの間にベアラデータパケットを受信することと、
帯域外時間スロットの間に、前記ベアラデータパケットに対応する誤り訂正データパケットを受信することと、
前記誤り訂正デコーダに、前記誤り訂正データパケットを使用して前記ベアラデータパケットを訂正するように命令することと、
のためのステップを備えるコンピュータプログラムとを備え、
前記帯域外時間スロットは、受信端末に割り当てられたオーバヘッド定格に基づいて割り当てられ、前記オーバヘッド定格は、ベアラデータパケットを受信する際の品質に基づいて前記受信端末に割り当てられている通信端末。
【請求項９】  前記コンピュータプログラムが、さらに、
複数の時間フレームの間にそれぞれ、前記誤り訂正データパケットに対応する複数のベアラデータパケットを受信することと、
前記ベアラ／ＦＥＣデータレジスタに、前記複数のベアラデータパケットを記憶して蓄積するように命令することと、
前記誤り訂正デコーダに、前記複数のベアラデータパケットを、前記誤り訂正データパケットで訂正するように命令することと、
のためのステップを備える、請求項８に記載の通信端末。
【請求項１０】  前記通信端末は、さらに、
送信機と、
前記送信機に電気的に接続された誤り訂正エンコーダと、
前記送信機および前記誤り訂正エンコーダに電気的に接続されたＦＥＣデータレジスタと、
を備え、
前記プロセッサが、前記誤り訂正エンコーダおよび前記ＦＥＣデータレジスタに電気的に接続され、前記コンピュータプログラムが、さらに、
別の帯域内時間スロットの間に別のベアラデータパケットを送信することと、
前記誤り訂正エンコーダに、前記別のベアラデータパケットから別の誤り訂正データパケットを生成するように命令することと、
別の帯域外時間スロットの間に、前記別のベアラデータパケットに対応する別の誤り訂正データパケットを送信することと、
のためのステップを備える、請求項８に記載の通信端末。
【請求項１１】  前記通信端末は、さらに、
送信機と、
前記送信機に電気的に接続された誤り訂正エンコーダと、
前記送信機および前記誤り訂正エンコーダに電気的に接続されたＦＥＣデータレジスタと、
を備え、
前記プロセッサが、前記誤り訂正エンコーダおよび前記ＦＥＣデータレジスタに電気的に接続され、前記コンピュータプログラムが、さらに、
複数の時間フレームにわたる別の帯域内時間スロットの間に複数のベアラデータパケットを送信することと、
前記誤り訂正エンコーダに、前記複数のベアラデータパケットから誤り訂正データを生成するように命令することと、
前記ＦＥＣデータレジスタに、前記誤り訂正データを蓄積して記憶するように命令することと、
単一時間フレームにわたる帯域外時間スロットの間に前記誤り訂正データを別の誤り訂正データパケットとして送信することと、
のためのステップを備える、請求項９に記載の通信端末。
【請求項１２】  さらに、前記受信機および前記送信機に接続されたアンテナを備える、請求項１１に記載の通信端末。
【発明の詳細な説明】
【０００１】
（発明の技術分野）
本発明は、通信システムにおける誤り訂正の分野に関し、誤り訂正は特に前方誤り訂正方式を含む。
【０００２】
（発明の背景技術）
デジタル通信システムは、トラフィックデータを伝送またはトランスポートするための通信チャネルを用いる。これらのチャネルは典型的には帯域幅が制限され、有限のチャネル容量を有する。チャネル容量と、多様な形式の雑音および干渉などの他のチャネル特性とに起因して、チャネル上で伝送されるトラフィックデータにおける誤り状態が所定の統計的な確実性をもって混入させられ、さもなければ、そのような結果的に混入することになるであろう。これらの誤り状態の影響は、遠隔局が中央局と通信する際に一般に予想不可能な無線通信チャネルを用いる無線通信システムにおいて、特に顕著になる可能性がある。
【０００３】
これらの誤り状態の影響を排除する、あるいは少なくとも削減するための技術が前方誤り訂正（ＦＥＣ）である。一般的には、ＦＥＣ技術の利用は、誤り検出データおよび誤り訂正データをベアラデータとともに伝送することを伴う。該誤り検出データおよび誤り訂正データは、典型的には、誤り検出アルゴリズムおよび誤り訂正アルゴリズムを用いてベアラデータ自体から導出され、これらのアルゴリズムは、送信機および受信機にとって既知のものであり、また、デジタル無線通信システムの場合には互いに通信中の遠隔局および中央局にとって既知のものである。
【０００４】
ＦＥＣ技術は、時分割多元接続（ＴＤＭＡ）無線通信システムで利用されてきた。ＴＤＭＡシステムは、典型的には、同じ周波数帯域を使用し、離散的な複数の時間期間の間に遠隔局と中央局の間でベアラデータを伝送する（つまり、各遠隔局は、周期的に繰り返す複数の時間フレームにおける各時間スロットの間に、複数のベアラデータバーストに分解されたベアラデータを送受する）ことにより、複数の遠隔局と１つの中央局の間での通信を可能にする。
【０００５】
既知の無線通信においては、中央局または遠隔局が、伝送の前に、それぞれの誤り検出アルゴリズムおよび誤り訂正アルゴリズムに従って誤り検出データおよび誤り訂正データをベアラデータに付加するかまたは符号化する。遠隔局または中央局は相互に、各誤り訂正可能なベアラデータパケットを受信し、誤り訂正可能なベアラデータパケットを誤り訂正アルゴリズムに従って処理することによって、（誤り訂正アルゴリズムの限度内で）各誤り訂正可能なベアラデータパケットにおけるすべての誤りを自動的に訂正し、また、誤り訂正後の誤り訂正可能なベアラデータパケットを誤り検出アルゴリズムに従って処理することにより、誤り訂正後の各誤り訂正可能なベアラデータパケットにおけるすべての残留誤りを検出する。
【０００６】
しかしながら、伝送誤りの影響を排除する、または削減するためにＦＥＣ技術を使用することは、通信システムが代償を払うことなしには不可能である。既知のシステムにおけるある特定の時間スロットで伝送しているユーザが使用可能な伝送帯域幅は、追加データ、および特に誤り訂正データを伝送するのに必要とされるオーバヘッドによって減らされる。各誤り訂正可能なベアラデータパケットを用いた誤り訂正データの伝送は、ある場合には１００％またはそれ以上のオーバヘッドを必要とする可能性がある。このようなオーバヘッドの増加は、典型的には、（ユーザごとに伝送ビットレートが固定されている場合）トラフィックデータのために使用可能な帯域幅の削減という結果になる。
【０００７】
既知の無線通信システムでは、中央局と遠隔局の間で伝送されるトラフィックデータのビット誤り率（ＢＥＲ）は、遠隔局と中央局の間の相対的な距離、環境上の状態、トラフィックデータ伝送レート等の、動的に変化する状態に依存している。本願と同時に出願されたある出願において開示され、本願において参照により明示的かつ完全に組み込まれたあるシステムにおいては、誤り訂正データの量は、システムのリソースをさらに効率的に活用するためにＢＥＲに従って変化する。このような場合、ある特定の時間スロットにおいて送受信される誤り訂正可能なベアラデータパケットに含まれるベアラデータの量は変化する可能性がある。その結果として、ベアラデータの管理はさらに困難になり、その結果、システムはさらに複雑になり、ユーザに提供されるデータレートは、チャネル状態に応じて動的に変化する。多くのシステムは、ピーク要件に対処するために帯域幅を確保し、その結果、通常の状態では帯域幅が浪費される。
【０００８】
このように、ＦＥＣ方式を用いて、一様な量のベアラデータを含む誤り訂正可能なベアラデータブロックを伝送させ、高品質の通信を提供しつつも、未使用の使用可能な容量をＦＥＣデータのために使用できるようにする（つまり、全体的なスループットシステム使用量を改善する）ような通信システムに対するニーズがある。
【０００９】
他の好ましい方法は、ベアラデータおよび誤り訂正データを異なる周波数帯域（ＦＤＭＡ）でそれぞれ伝送すること、あるいは異なる符号（ＣＤＭＡ）を用いて伝送すること、あるいは他の任意の直交メカニズムを用いて伝送することを含んでもよい。
【００１０】
（発明の概要）
本発明は、ベアラ情報と、ベアラ情報に関連付けられた誤り訂正情報とを、異なる論理チャネルで送受信する新規な方法を含む。
【００１１】
本発明の好ましい方法は、複数の時間フレームの間にＦＥＣトランスバンド中央局と通信する複数のＦＥＣトランスバンド遠隔局を有する無線通信システムを備える。複数の時間フレームの各時間フレームは、複数の時間スロットに分割される。時間スロットは、帯域内時間スロットおよび帯域外時間スロットを含み、これらの時間スロットは好ましくは専用ではない、すなわち、ある特定の時間スロットが、任意の指定された時間フレームの間に帯域内時間スロットまたは帯域外時間スロットのどちらかとして利用できる。少なくとも１つのＦＥＣトランスバンド遠隔局は、複数の時間フレームの帯域内時間スロットの間にベアラデータパケットを送信および／または受信する。該少なくとも１つのＦＥＣトランスバンド遠隔局は、複数の時間フレームの少なくとも１つの帯域外時間スロットの間に、送信および／または受信されるベアラデータパケットの少なくとも１つに対応する誤り訂正データパケットを送信および／または受信する。これらのＦＥＣトランスバンド遠隔局のいくつかは、複数の帯域外部分時間スロットの間に誤り訂正データパケットを送信および／または受信することができる。つまり、それらは複数の時間フレームにわたって１つの帯域外時間スロットを共用する。
【００１２】
ベアラデータおよび誤り訂正データを複数のＦＥＣトランスバンド遠隔局とＦＥＣトランスバンド中央局の間で伝送することは、システムデータオーバヘッドを生じさせ、このシステムデータオーバヘッドは、ＦＥＣトランスバンド遠隔局において通信開始または通信終了されるときに変化し、あるいはＦＥＣトランスバンド遠隔局の誤り訂正データのオーバヘッド定格が変更されるときに変化する。複数のＦＥＣトランスバンド遠隔局を帯域内時間スロットおよび帯域外時間スロットに割り当てることは、システムデータオーバヘッドが変化するにつれて動的に修正される、遠隔局割当ての組み合わせとして特徴付けることができる。
【００１３】
（発明を実施するための最良の形態）
図１は、本発明の好ましい実施態様に従って動作するように構成されたＴＤＭＡ無線通信システム１００を描く。ＦＥＣトランスバンド中央局（central station：ＣＳ）１０４は、１つのセル１０２における複数のＦＥＣトランスバンド遠隔局（remote station：ＲＳ）１０６と通信しているように描かれている。セル１０２は、マクロセル、マイクロセル、無線ローカルループ、または複数の通信装置が互いに通信できる任意のネットワークであってよい。ＦＥＣトランスバンド中央局１０４は、基地局、基地局プロセッサ、移動体交換局、または複数の遠隔局と通信できる任意の通信装置であってよい。ＦＥＣトランスバンド遠隔局１０６は、移動電話機あるいは無線ローカルループ端末の任意の組み合わせであってよい。
【００１４】
ＦＥＣトランスバンド中央局１０４および各ＦＥＣトランスバンド遠隔局１０６は、時分割多元接続／周波数分割デュプレックス（ＴＤＭＡ／ＦＤＤ）フォーマットで通信する。すなわち、ＦＥＣトランスバンド中央局１０４とＦＥＣトランスバンド遠隔局１０６のそれぞれとの間の通信は時間的にそれぞれ分離され、ＦＥＣトランスバンド中央局１０４とある特定のＦＥＣトランスバンド遠隔局１０６との間のダウンリンク通信は、ＦＥＣトランスバンド中央局１０４とその特定のＦＥＣトランスバンド遠隔局１０６との間のアップリンク通信から周波数上で分離されている。ＦＥＣトランスバンド中央局１０４は、１９６０ＭＨｚなどの単一ダウンリンク周波数上でＦＥＣトランスバンド遠隔局１０６にデータを送信し、ＦＥＣトランスバンド遠隔局１０６は、１８８０ＭＨｚなどの単一アップリンク周波数でＦＥＣトランスバンド中央局１０４にデータを送信する。ただし、本発明はＴＤＭＡ／ＦＤＤに限定されるものではない。
【００１５】
図２に示されているように、ダウンリンク周波数は、周期的に繰り返す複数のダウンリンク時間フレーム（time frame：ＴＦ）１０８（１）に分割され、アップリンク周波数は、周期的に繰り返す複数のアップリンク時間フレーム１０８（２）に分割される（これ以降集合的に時間フレームペア１０８（１）／（２）と呼ぶ）。時間フレームペア１０８（１）／（２）は、さらに、複数のダウンリンク時間スロット１１０（１）の集合と、複数のアップリンク時間スロット１１０（２）の集合（これ以降集合的に時間スロットペア１１０（１）／（２）と呼ぶ）に分割される。アップリンク時間フレーム１０８（２）は、ダウンリンク時間フレーム１０８（１）と同期する。ダウンリンク時間スロット１１０（１）は、ダウンリンク帯域内時間スロット１０９（１）またはダウンリンク帯域外時間スロット１１１（１）のどちらかとして使用される。アップリンク時間スロット１１０（２）は、アップリンク帯域内時間スロット１０９（２）またはアップリンク帯域外時間スロット１１１（２）のどちらかとして使用される。ダウンリンク帯域内時間スロット１０９（１）およびアップリンク帯域内時間スロット１０９（２）（これ以降集合的に帯域内時間スロットペア１０９（１）／（２）と呼ぶ）と、アップリンク帯域外時間スロット１１１（１）およびダウンリンク帯域外時間スロット１１１（２）（これ以降集合的に帯域外時間スロットペア１１１（１）／（２）と呼ぶ）とは、専用のものではない。すなわち、時間スロットペア１１０（１）／（２）のそれぞれが、任意の指定された時間フレームペア１０８（１）／（２）の間に、帯域内時間スロットペア１０９（１）／（２）または帯域外時間スロットペア１１１（１）／（２）のどちらかとして使用することができる。ただし、用語「ペア」を、ある特定のダウンリンク時間フレーム１０８（１）をある特定のアップリンク時間フレーム１０８（２）とともにグループ化するときという意味で、あるいはある特定のダウンリンク時間スロット１１０（１）をある特定のアップリンク時間スロット１１０（２）とともにグループ化するという意味で使用するとき、時間フレームペア１０８（１）／（２）または時間スロットペア１１０（１）／（２）における対称性を含意するわけではない。
【００１６】
複数のＦＥＣトランスバンド遠隔局１０６は、複数のダウンリンク帯域内時間スロット１０９（１）にそれぞれ割り当てられ、これらのダウンリンク帯域内時間スロット１０９（１）の間に、ＦＥＣトランスバンド中央局１０４からベアラデータパケットをそれぞれ受信する（この場合、ＦＥＣトランスバンド遠隔局（ＲＳ）１から４に時間スロットＤ１、Ｄ２、Ｄ５およびＤ７がそれぞれ割り当てられる）。複数のＦＥＣトランスバンド遠隔局１０６は、複数のアップリンク帯域内時間スロット１０９（２）にそれぞれ割り当てられ、これらのアップリンク帯域内時間スロット１０９（２）の間に、ＦＥＣトランスバンド中央局にベアラデータパケットをそれぞれ送信する（この場合、ＦＥＣトランスバンド遠隔局１０４に時間スロットＵ４、Ｕ５、Ｕ８およびＵ１０がそれぞれ割り当てられる）。ＦＥＣトランスバンド遠隔局１０６に追加ハードウェアを設ける必要性を取り除くために、数個の時間スロット、この場合には３つの時間スロットにわたる遅延を、対応するダウンリンク時間スロット１１０（１）とアップリンク時間スロット１１０（２）の間に導入できるということがわかるであろう。ただし、いくつかの時間スロットにわたる遅延が与えられた場合であっても、遠隔局１０６が同じスロットにおいてベアラデータを送信して誤り訂正データを受信する場合、あるいはその逆の場合（例えば、遠隔局１が時間スロットＤ１においてベアラデータを送信し、時間スロットＵ１において誤り訂正データを受信する場合）、この遠隔局において追加のハードウェアが必要になる。しかしながら、一般的には、上記のようなことが生じないようにシステムを構成することができる。システムの特定のプロトコルに応じて、未使用の時間スロットペア１１０（１）／（２）は、他のＦＥＣトランスバンド遠隔局１０６によって使用可能な、あるいは代わりにＦＥＣトランスバンド中央局１０４とＦＥＣトランスバンド遠隔局１０６の間での制御データの伝送もしくはＦＥＣトランスバンド中央局１０４からのブロードキャストデータの伝送などの他のさまざまな機能をサポートするために使用可能な、アイドル時間スロットになる。
【００１７】
複数のＦＥＣトランスバンド遠隔局１０６は、複数のダウンリンク帯域外時間スロット１１１（１）にそれぞれ割り当てられ、これらのダウンリンク帯域外時間スロット１１１（１）の間に、ＦＥＣトランスバンド中央局から誤り訂正データパケットを受信する（この場合、各ＦＥＣトランスバンド遠隔局１から３に時間スロットＤ１０が割り当てられ、ＦＥＣトランスバンド遠隔局１２に時間スロットＤ１２が割り当てられる）。図２から明らかであるように、ダウンリンク帯域外時間スロット１１１（１）を複数のダウンリンク帯域外部分時間スロット１１１（１）’にさらに分割することによって、複数のＦＥＣトランスバンド遠隔局１０６が、単一ダウンリンク帯域外時間スロット１１１（１）の間に誤り訂正データパケットを受信することができる。すなわち、ダウンリンク帯域外時間スロット１１１（１）の間に誤り訂正データパケットを受信する各ＦＥＣトランスバンド遠隔局１０６は、すべてのダウンリンク時間フレーム１０８（１）において誤り訂正データを受信するのではなく、時間スロットＤ１０の場合のように、他のＦＥＣトランスバンド遠隔局１０６との間で、ダウンリンク帯域外時間スロット１１１（１）を複数のダウンリンク時間フレーム１０８（１）にわたって共用する。
【００１８】
複数のＦＥＣトランスバンド遠隔局１０６は、複数のアップリンク帯域外時間スロット１１１（２）に割り当てられ、これらのアップリンク帯域外時間スロット１１１（２）の間に、ＦＥＣトランスバンド中央局１０４に誤り訂正データパケットをそれぞれ送信する（この場合、各ＦＥＣトランスバンド遠隔局１から３には時間スロットＵ１が割り当てられ、ＦＥＣトランスバンド遠隔局４には時間スロットＵ３が割り当てられる）。ダウンリンク帯域外時間スロット１１１（１）の場合のように、アップリンク帯域外時間スロット１１１（２）は、必要であれば、時間スロットＵ１のように、複数のアップリンク帯域外部分時間スロット１１１（２）’に分割することができる。
【００１９】
ベアラデータパケットは誤り訂正データとともに符号化されないので、帯域内時間スロットペア１０９（１）／（２）は、誤り訂正データのオーバヘッドをサポートする必要はなく、各ベアラデータパケット内のベアラデータの量は、ＦＥＣオーバヘッドおよび帯域外ビットレートが変化しても各タイミングウィンドウにわたって一様のままとなる。
【００２０】
代替例として、無線通信システム１００は、時分割多元接続／時分割デュプレックス（ＴＤＭＡ／ＴＤＤ）フォーマットで構成され、この場合、ベアラデータのダウンリンク伝送とアップリンク伝送の両方のために単一周波数が使用され、ＦＥＣトランスバンド中央局１０４とある特定のＦＥＣトランスバンド遠隔局１０６との間のダウンリンク通信が、ＦＥＣトランスバンド中央局１０４とその特定のＦＥＣトランスバンド遠隔局１０６との間のアップリンク通信から時間的に分離される。図３に図示されているように、ダウンリンク／アップリンク周波数は、周期的に繰り返す複数の時間フレーム１０８（３）に分割され、時間フレーム１０８（３）はさらに、複数の時間スロット１１０（３）に分割される。時間スロット１１０（３）の半分は、データのダウンリンク伝送専用であり、時間スロット１１（３）の半分は、データのアップリンク伝送専用である。ただし、ダウンリンク時間スロット１１０（３）の個数およびアップリンク時間スロット１１０（３）の個数は等しくなくてもよい。
【００２１】
各ＦＥＣトランスバンド遠隔局には、帯域内時間スロット１１０（３）が割り当てられ、この帯域内時間スロット１１０（３）の間に、各ＦＥＣトランスバンド遠隔局は、ＦＥＣトランスバンド中央局１０４からダウンリンクベアラデータパケットをそれぞれ受信し、ＦＥＣトランスバンド中央局１０４にアップリンクベアラデータパケットをそれぞれ送信できる（この場合は、ＦＥＣトランスバンド遠隔１から４に時間スロット（Ｄ１，Ｕ１）、（Ｄ２，Ｕ２）、（Ｄ３，Ｕ３）および（Ｄ４，Ｕ４）がそれぞれ割り当てられる）。各ＦＥＣトランスバンド遠隔局１０６には、帯域外時間スロット１１０（３）が割り当てられ、この帯域外時間スロット１１０（３）の間に、各ＦＥＣトランスバンド遠隔局１０６は、ＦＥＣトランスバンド中央局１０４からダウンリンク誤り訂正データパケットをそれぞれ受信し、ＦＥＣトランスバンド中央局１０４にアップリンク誤り訂正データパケットをそれぞれ送信することができる（この場合、ＦＥＣトランスバンド遠隔局１から３に時間スロット（Ｄ５，Ｕ５）がそれぞれ割り当てられ、ＦＥＣトランスバンド遠隔局４に時間スロット（Ｄ６，Ｕ６）がそれぞれ割り当てられる）。
【００２２】
図１は、単一周波数ペア（ＴＤＭＡ／ＦＤＤの場合）または単一周波数（ＴＤＭＡ／ＴＤＤの場合）上でＦＥＣトランスバンド中央局１０４と通信中の４つのＦＥＣトランスバンド遠隔局１０６だけを描いているが、現実には、ＦＥＣトランスバンド中央局１０４は、広範な複数の周波数または複数の周波数ペア上で、他の多数のＦＥＣトランスバンド遠隔局１０６と同時に通信する。
【００２３】
両方のＴＤＭＡタイプに関して、ある特定のＦＥＣトランスバンド遠隔局１０６が誤り訂正データパケットを送信または受信する際に用いる、ある帯域外時間スロット１１１における帯域外部分時間スロット１１１’の割合は、各ＦＥＣトランスバンド遠隔局１０６が誤り訂正データパケットを送信または受信する際に必要とされるオーバヘッドの量（ベアラデータに対する誤り訂正データの比率として表される）に基づいている。
【００２４】
例えば、図３を参照すると、ＦＥＣトランスバンド遠隔局１から３のそれぞれが、ＦＥＣトランスバンド中央局１０４から１つのベアラデータパケットに対応する誤り訂正データを受信するために３３  １／３％のオーバヘッドを必要とする場合（３３  １／３％のオーバヘッド定格）、ＦＥＣトランスバンド遠隔局１から３のそれぞれが、帯域外部分時間スロット１１１（１）’の間に、ダウンリンク帯域外時間スロット１１１（１）の間に受信される合計誤り訂正データの３３  １／３％を受信する。すなわち、ＦＥＣトランスバンド遠隔局１から３のそれぞれは、３つの帯域外時間スロットＤ５ごとに１００％のオーバヘッドを表す誤り訂正データを受信する。他方、ＦＥＣトランスバンド遠隔局１から３が、それぞれ２５％、５０％、および２５％のオーバヘッド定格を有する場合、ＦＥＣトランスバンド遠隔局１から３のそれぞれは、帯域外部分時間スロット１１１（１）’の間に、ダウンリンク帯域外時間スロット１１１（１）の間に受信される合計誤り訂正データの２５％、５０％および２５％をそれぞれ受信する。すなわち、ＦＥＣトランスバンド遠隔局１と３のそれぞれは、４つの帯域外時間スロットＤ５ごとに１００％のオーバヘッドを表す誤り訂正データを受信し、ＦＥＣトランスバンド遠隔局２は、２つの帯域外時間スロットＤ５ごとに１００％のオーバヘッドを表すベアラデータを受信する。
【００２５】
ただし、帯域外時間スロット１１１によってサポートされている最大オーバヘッドは、帯域外時間スロット１１１がさらに帯域外部分時間スロット１１１に分割されるかどうかに関係なく、１００％を超えることができない。すなわち、帯域外時間スロット１１１を利用する１つまたは複数のＦＥＣトランスバンド遠隔局１０６によるベアラデータパケットの送信または受信に関連付けられた誤り訂正データの合計オーバヘッドは、帯域外時間スロット１１１ごとに１００％を超えることはできない。例えば、図３に関して、ＦＥＣトランスバンド遠隔局４によって送信または受信される誤り訂正データのオーバヘッドの量は１００％を超えることができず、ＦＥＣトランスバンド遠隔局１から３によって送信または受信される誤り訂正データのオーバヘッドの合計量は１００％を超えることはできない。例えば、ＦＥＣトランスバンド遠隔局１から３のそれぞれのオーバヘッド定格は、３３  １／３％、３３  １／３％、および３３  １／３％（合計で１００％になる）であってもよく、あるいは２５％、５０％、および２５％（合計で１００％になる）であってもよい。ただし、このような誤り訂正データを伝送するために複数の帯域外時間スロット１１を使用することが必要とされる場合には、ある特定のＦＥＣトランスバンド遠隔局１０６のオーバヘッド定格が１００％を超えることも可能である。
【００２６】
帯域外時間スロット１１１の間に送信または受信される誤り訂正データを最大化することは効率的なこともあるが、ある特定の帯域外時間スロット１１１を独占的に使用するＦＥＣトランスバンド遠隔局のオーバヘッド定格、またはある特定の帯域外時間スロット１１１を共用する任意の複数のＦＥＣトランスバンド遠隔局の合計オーバヘッド定格が１００％となることは必要とされない。下記に詳説されるように、ある特定の帯域外時間スロット１１１の合計オーバヘッド定格が、ＦＥＣトランスバンド遠隔局の特定のオーバヘッド定格のもとで１００％に等しくなることがないいくつかの例がある。
【００２７】
なお、帯域内時間スロット１０９および帯域外時間スロット１１１が専用のものではなく、任意の時間スロット１１０の性質が、任意の時点における無線通信システム１００の特定のニーズに依存し、従って時間的に変化することがある。
【００２８】
図４は、無線通信システム１００（ＴＤＭＡ／ＦＤＤまたはＴＤＭＡ／ＴＤＤ）における互いに通信中のＦＥＣトランスバンド中央局１０４とＦＥＣトランスバンド遠隔局のうちの１つとを含むブロック図を描く。ＦＥＣトランスバンド中央局１０４とＦＥＣトランスバンド遠隔局１０６は、ＦＥＣトランスバンド中央局１０４とＦＥＣトランスバンド遠隔局１０６間の適切かつ効率的な通信を確実にするために、相互に帯域外ＦＥＣ方式を使用する。
【００２９】
ＦＥＣトランスバンド遠隔局１０６は、図２と図３にそれぞれ描かれているようなＴＤＭＡ／ＦＤＤまたはＴＤＭＡ／ＴＤＤ方式に従って、ＦＥＣトランスバンド中央局１０４にアップリンクベアラデータパケットおよびアップリンク誤り訂正パケットを送信する。ＦＥＣトランスバンド遠隔局１０６は、アップリンクベアラデータパケット送信およびアップリンク誤り訂正データパケットの送信のタイミングを調整するためにプロセッサ１１２を利用する。
【００３０】
アップリンクの誤り訂正可能なベアラデータパケットは、ＦＥＣトランスバンド遠隔局１０６に電気的に接続された入出力装置１１４から発するアップリンクトラフィックデータを含む。該入出力装置１１４は、典型的には、音声エンコーダ／デコーダであるか、または例えばパーソナルコンピュータ（ＰＣ）のようなデータ装置である。プロセッサ１１２は、入出力装置１１４に電気的に接続され、入出力装置１１４とハンドシェーク動作を実行し、このハンドシェーク動作の間にアップリンクトラフィックデータが入出力装置１１４から転送される。入出力装置１１４は、誤り検出エンコーダ１１６に電気的に接続され、アップリンクベアラデータパケットを誤り検出エンコーダ１１６に転送する。
【００３１】
プロセッサ１１２も、誤り検出エンコーダ１１６に電気的に接続され、ＦＥＣトランスバンド中央局１０４に知らせるステータスデータなどのアップリンク制御データを誤り検出エンコーダ１１６に転送する。誤り検出エンコーダ１１６は、アップリンク制御データをアップリンクベアラデータパケットに付加する。誤り検出エンコーダ１１６はまた、巡回冗長検査（ＣＲＣ）アルゴリズムに従って誤り検出データを生成し、誤り検出データをアップリンクベアラデータパケットに付加する。しかしながら、誤り検出エンコーダ１１６は、本発明により教示される原理から離れることなく、その他の種類の誤り検出アルゴリズムを利用できる。
【００３２】
誤り検出エンコーダ１１６は、誤り訂正エンコーダ１１８に電気的に接続される。誤り訂正エンコーダ１１８は、誤り訂正アルゴリズムに従って誤り訂正データを生成する。誤り訂正エンコーダ１１８は、アップリンクベアラデータパケットとは別個に誤り訂正データを記憶するＦＥＣデータレジスタ１３４に電気的に接続される。
【００３３】
誤り訂正エンコーダ１１８は、変調器１２０に電気的に接続され、変調器１２０は、アップリンクベアラデータパケットを適切な時間スロットにおいて搬送周波数上に変調する。ＦＥＣデータレジスタ１３４も、変調器１２０に電気的に接続され、変調器１２０は、アップリンク誤り訂正データパケットを適切な時間スロットにおいて搬送周波数上に変調する。変調器１２０は、アップリンクベアラデータパケットおよび誤り訂正パケットを増幅してフィルタリングする送信機１２２に電気的に接続される。該送信機１２２はアンテナ１２４に電気的に接続され、アンテナ１２４は、ＦＥＣトランスバンド中央局１０４にアップリンクベアラデータパケットおよびアップリンク誤り訂正データパケットを無線送信する。
【００３４】
ＦＥＣトランスバンド遠隔局１０６はまた、図２と図３にそれぞれ描かれているＴＤＭＡ／ＦＤＤまたはＴＤＭＡ／ＴＤＤ方式に従って、ＦＥＣトランスバンド中央局１０４からダウンリンクベアラデータパケットおよびダウンリンク誤り訂正データパケットを受信する。アップリンクベアラデータパケットおよびアップリンク誤り訂正データパケットの送信の際のように、ＦＥＣトランスバンド遠隔局のプロセッサ１１２が、ダウンリンクベアラデータパケットおよびダウンリンク誤り訂正データパケットの受信のタイミングを調整する。ダウンリンクベアラデータパケットは、ＦＥＣトランスバンド中央局１０４に電気的に接続された入出力装置１１４’から発するダウンリンクトラフィックデータを含む。無線通信システム１００のＦＥＣトランスバンド中央局１０４側における入出力装置１１４’は、典型的には、公衆交換電話網（ＰＳＴＮ）またはインターネットなどの通信ネットワークへのインタフェースである。
【００３５】
アンテナ１２４は、ＦＥＣトランスバンド中央局１０４からダウンリンクベアラデータパケットおよびダウンリンク誤り訂正データパケットを無線受信する。アンテナ１２４は、ダウンリンクベアラデータパケットおよびダウンリンク誤り訂正データパケットをフィルタリングする受信機１２６に電気的に接続される。受信機１２６は、復調器１２８に電気的に接続され、復調器１２８は、搬送周波数からダウンリンクベアラデータパケットおよびダウンリンク誤り訂正データパケットを抽出する。
【００３６】
復調器１２８は、誤り訂正デコーダ１３０に電気的に接続され、誤り訂正デコーダ１３０は、ダウンリンクベアラデータパケットおよびダウンリンク誤り訂正データパケットを処理し、誤り訂正アルゴリズムに従ってダウンリンクベアラデータパケットを訂正する。
【００３７】
ＦＥＣトランスバンド遠隔局１０６は、復調器１２８と誤り訂正デコーダ１３０との間に電気的に接続されたベアラ／ＦＥＣデータレジスタ１３６を含む。該ベアラ／ＦＥＣデータレジスタ１３６は、誤り訂正デコーダ１３０による処理の前に、ダウンリンクベアラデータパケットおよびダウンリンク誤り訂正データパケットを記憶して蓄積する。
【００３８】
図５に図示されるように、ＦＥＣトランスバンド遠隔局のプロセッサ１１２は、ＦＥＣトランスバンド遠隔局１０６における処理機能のすべてを実行するＣＰＵ１３８を備える。プロセッサ１１２は、さらに、アップリンク帯域内時間スロット１０９の間におけるアップリンクベアラデータパケットの送信と、アップリンク帯域外時間スロット１１１の間における対応するアップリンク誤り訂正データパケットの送信と、ダウンリンク帯域内時間スロット１０９の間におけるダウンリンクベアラデータパケットの受信と、ダウンリンク帯域外時間スロット１１１の間における対応するダウンリンク誤り訂正データパケットの受信とを、ＦＥＣトランスバンド遠隔局１０６に実行させる命令を備える。これらの命令は、ＣＰＵ１３８と一体化されるかまたは別個に設けられる例えばＲＯＭチップなどの記憶装置に組み込まれたコンピュータソフトウェアプログラムの形態をとる。
【００３９】
ＦＥＣトランスバンド遠隔局のプロセッサ１１２はさらに、無線通信システム１００によって使用されるＦＥＣ方式に関するステータスデータを記憶するためのさまざまなメモリロケーションを備える。図解の目的のため、これらのメモリロケーションは図５においてレジスタとして描かれている。しかしながら、データの記憶およびアクセスを可能にする任意のメモリ記憶手段を利用できるということが理解されなければならない。
【００４０】
プロセッサ１１２は、ダウンリンクベアラタイミングレジスタ１４０、アップリンクベアラタイミングレジスタ１４２、ダウンリンクＦＥＣタイミングレジスタ１４４、およびアップリンクＦＥＣタイミングレジスタ１４６を備える。ダウンリンクベアラタイミングレジスタ１４０は、ＦＥＣトランスバンド遠隔局１０６がＦＥＣトランスバンド中央局１０４からダウンリンクベアラデータパケットを受信する際に用いる特定の帯域内時間スロット１０９および特定の時間フレーム１０８を示す同期データを記憶する。アップリンクベアラタイミングレジスタ１４２は、ＦＥＣトランスバンド遠隔局１０６がＦＥＣトランスバンド中央局１０４にアップリンクベアラデータパケットを送信する際に用いる特定の帯域内時間スロット１０９および特定の時間フレーム１０８を示す同期データを記憶する。典型的には、ＦＥＣトランスバンド遠隔局１０６は、時間フレーム１０６ごとにそれぞれ、ベアラデータパケットをＦＥＣトランスバンド中央局１０４に送信し、ＦＥＣトランスバンド中央局１０４からベアラデータパケットを受信する。
【００４１】
ダウンリンクＦＥＣタイミングレジスタ１４４は、ＦＥＣトランスバンド遠隔局１０６がＦＥＣトランスバンド中央局１０４からダウンリンク誤り訂正データパケットを受信する際に用いる、指定された帯域外時間スロット１１１および指定された時間フレーム１０８を示す同期データを記憶する。アップリンクＦＥＣタイミングレジスタ１４６は、ＦＥＣトランスバンド遠隔局１０６がＦＥＣトランスバンド中央局１０４へアップリンク誤り訂正データパケットを送信する際に用いる、指定された帯域外時間スロット１１１および指定された時間フレーム１０８を示す同期データを記憶する。前述されたタイミングレジスタのそれぞれに常駐する同期データは、現在と未来という２つのタイプに特徴付けられる。現在の同期データは、現在の時間フレームペア１０８（１）／（２）に関し、未来の同期データはすぐ次の時間フレームペア１０８（１）／（２）に関する。
【００４２】
ＦＥＣトランスバンド中央局１０４の構成部分は、ＦＥＣトランスバンド遠隔局１０６の構成部分に類似している。すなわち、図４に示されるように、ＦＥＣトランスバンド中央局１０４は、ＦＥＣトランスバンド遠隔局１０６と同様に、プロセッサ１１２’、誤り検出エンコーダ１１６’、誤り訂正エンコーダ１１８’、変調器１２０’、送信機１２２’、およびアンテナ１２４’を備え、これらの構成要素はすべて、ダウンリンクベアラデータパケットを多数のＦＥＣトランスバンド遠隔局１０６へ送信することを容易にするように構成され、また互いに構成され、かつ入出力装置１１４’とともに構成される。同様に、ＦＥＣトランスバンド中央局１０４は、さらに、受信機１２６’、復調器１２８’、誤り訂正デコーダ１３０’、および誤り検出デコーダ１３２’を備え、これらの構成要素はすべて、多数のＦＥＣトランスバンド遠隔局１０６からアップリンクベアラデータパケットを受信することを容易にするように構成され、また互いに構成され、かつプロセッサ１１２’、アンテナ１２４’、および入出力装置１１４’とともに構成される。
【００４３】
ＦＥＣトランスバンド中央局１０４は、さらに、ＦＥＣデータレジスタ１３４’の集合およびベアラ／ＦＥＣデータレジスタ１３６’の集合を含み、これらのレジスタはそれぞれ、ＦＥＣトランスバンド遠隔局１０６において利用されるＦＥＣデータレジスタ１３４およびベアラ／ＦＥＣデータレジスタ１３６に類似したものであり、ほぼ同じように機能する。ＦＥＣデータレジスタ１３４’およびベアラ／ＦＥＣデータレジスタ１３６の各集合におけるレジスタ数は、時間フレームペア１０８（１）／（２）（ＴＤＭＡ／ＦＤＤの場合）がサポートするか、あるいは時間フレーム１０８（３）（ＴＤＭＡ／ＴＤＤの場合）がサポートするＦＥＣトランスバンド遠隔局１０６の個数に等しい。ＦＥＣデータレジスタ１３４’の集合は、ＦＥＣトランスバンド遠隔局１０６に関して前述されたのとほぼ同じように、プロセッサ１１２’、誤り訂正エンコーダ１１８’および変調器１２０’とともに構成される。同様に、ベアラ／ＦＥＣデータレジスタ１３６’の集合は、ＦＥＣトランスバンド遠隔局１０６に関して前述されたのとほぼ同じように、プロセッサ１１２’、誤り訂正デコーダ１３０’、および復調器１２８’とともに構成される。
【００４４】
図６に示されるように、ＦＥＣトランスバンド中央局のプロセッサ１１２’は、ＦＥＣトランスバンド中央局１０４における処理機能のすべてを実行するＣＰＵ１３８’を備える。プロセッサ１１２’は、さらに、ダウンリンク帯域内時間スロット１９の間におけるダウンリンクベアラデータパケットの送信と、ダウンリンク帯域外時間スロット１１１の間における対応するダウンリンク誤り訂正データパケットの送信と、アップリンク帯域内時間スロット１０９の間におけるアップリンクベアラデータパケットの受信と、アップリンク帯域外時間スロット１１１の間における対応するアップリンク誤り訂正データパケットの受信とを、ＦＥＣトランスバンド中央局１０４に実行させる命令を備える。また、これらの命令は、さらに詳細に後述されるように、システムデータオーバヘッドの変更に応じた遠隔局割当ての組み合わせの動的な調整を、ＦＥＣトランスバンド中央局１０４に実行させる。これらの命令は、ＣＰＵ１３８と一体化されるかまたは別個に設けられるＲＯＭチップに組み込まれたコンピュータソフトウェアプログラムの形態をとる。
【００４５】
ＦＥＣトランスバンド中央局のプロセッサ１１２’は、さらに、無線通信システム１００によって使用されるＦＥＣ方式に関するステータスデータの記憶のためのさまざまなメモリロケーションを備える。図解の目的のために、これらのメモリロケーションは、レジスタとして図６に描かれている。しかしながら、データの記憶およびアクセスを可能にする任意のメモリ記憶手段を利用できるということが理解されなければならない。
【００４６】
プロセッサ１１２’は、ダウンリンクベアラタイミングレジスタ１４０’、アップリンクベアラタイミングレジスタ１４２’、ダウンリンクＦＥＣタイミングレジスタ１４４’、およびアップリンクＦＥＣタイミングレジスタ１４６’の各集合を備え、これらのレジスタは、ＦＥＣトランスバンド遠隔局のプロセッサ１１２により利用される、ダウンリンクベアラタイミングレジスタ１４０、アップリンクベアラタイミングレジスタ１４２、ダウンリンクＦＥＣタイミングレジスタ１４４およびアップリンクＦＥＣタイミングレジスタ１４６にぞれぞれ類似し、それらとほぼ同じように機能する。ダウンリンクベアラタイミングレジスタ１４０’、アップリンクベアラタイミングレジスタ１４２’、ダウンリンクＦＥＣタイミングレジスタ１４４’およびアップリンクＦＥＣタイミングレジスタ１４６’の各集合におけるレジスタの個数は、時間フレームペア１０８（１）／（２）（ＴＤＭＡ／ＦＤＤの場合）がサポートする、あるいは時間フレーム１０８（３）（ＴＤＭＡ／ＴＤＤの場合）がサポートするＦＥＣトランスポート遠隔局１０６の個数に等しい。
【００４７】
ＦＥＣトランスバンド中央局１０４は、各時間スロット１１０の性質（つまり、それが未使用であるのか、帯域内時間スロット１０９として使用されるのか、それとも帯域外時間スロット１１１として使用されるのか）と、各時間スロット１１０を使用する特定のＦＥＣトランスバンド遠隔局１０６または複数のＦＥＣトランスバンド遠隔局１０６とを制御する。この機能を容易にするために、プロセッサ１１２’は、ダウンリンク時間スロットレジスタ１４８’の集合およびアップリンク時間スロットレジスタ１５０’の集合を備える。ダウンリンク時間スロットレジスタ１４８’の集合におけるレジスタ数は、ＦＥＣトランスバンド遠隔局１０６が使用可能なダウンリンク時間スロット１１０の個数に等しく、アップリンク時間スロットレジスタ１５０’の集合におけるレジスタ数は、ＦＥＣトランスバンド遠隔局１０６が使用できるアップリンク時間スロット１１０の個数に等しい。ダウンリンク時間スロットレジスタ１４８’の集合およびアップリンク時間スロットレジスタ１５０’の集合における各レジスタは、現在の時間スロットのタイプ（未使用、帯域内、帯域外）を示すデータと、各時間スロット１１０を使用する１つまたは複数のＦＥＣトランスバンド遠隔局（１０６）の識別情報（ある特定の帯域外時間スロット１１１が帯域外部分時間スロット１１１’を含む場合には、識別される複数のＦＥＣトランスバンド遠隔局１０６が存在する可能性がある）を示すデータとを記憶し、時間スロット１１０が帯域外時間スロット１１１である場合には、帯域外時間スロット１１１によって現在サポートされている誤り訂正データのオーバヘッドを示すデータを記憶する。
【００４８】
なお、本発明の原理を説明する上での簡単化の目的のため、図４と図６には、一対のダウンリンク周波数とアップリンク周波数（ＴＤＭＡ／ＦＤＤの場合）または単一のダウンリンク／アップリンク周波数（ＴＤＭＡ／ＴＤＤの場合）を介して多数のＦＥＣトランスバンド遠隔局１０６と通信するために必要なＦＥＣトランスバンド中央局１０４の構成部分だけを図示している。しかしながら、実際には、ＦＥＣトランスバンド中央局１０４は、所定範囲にわたるダウンリンク周波数とアップリンク周波数のペア（ＴＤＭＡ／ＦＤＤの場合）、またはダウンリンク／アップリンク周波数（ＴＤＭＡ／ＴＤＤの場合）を介して多数のＦＥＣトランスバンド遠隔局１０６と通信し、マルチプレクサおよびデマルチプレクサなどの、ＦＥＣトランスバンド遠隔局１０４では利用されない他の構成部品を含む。さらに、ＦＥＣデータレジスタ１３４’、ベアラ／ＦＥＣデータレジスタ１３６’、ダウンリンクベアラタイミングレジスタ１４０’、アップリンクベアラタイミングレジスタ１４２’、ダウンリンクＦＥＣタイミングレジスタ１４４’、アップリンクＦＥＣタイミングレジスタ１４６’、ダウンリンク時間スロットレジスタ１４８’、およびアップリンク時間スロットレジスタ１５０’の各集合の個数は、無線通信システム１００によって利用されるダウンリンクおよびアップリンク周波数のペアの個数（ＴＤＭＡ／ＦＤＤの場合）またはダウンリンク／アップリンク周波数の個数（ＴＤＭＡ／ＴＤＤの場合）に等しい。
【００４９】
図２および図４を参照して、ＴＤＭＡ／ＦＤＤフォーマットで構成された無線通信システム１００の動作を、ダウンリンク時間フレーム１０８（１）およびアップリンク時間フレーム１０８（２）におけるＦＥＣトランスバンド中央局１０４とある特定のＦＥＣトランスバンド遠隔局１０６との間でのベアラデータパケットおよび誤り訂正データパケットの伝送に関して説明する。
【００５０】
ＦＥＣトランスバンド中央局１０４は、ダウンリンク時間フレーム１０８（１）の指定された帯域内時間スロット１０９（１）の間にＦＥＣトランスバンド遠隔局１０６にベアラデータパケットを送信する。ＦＥＣトランスバンド遠隔局１０６は、ベアラデータパケットを受信し、記憶する。ＦＥＣトランスバンド中央局１０４は、ベアラデータパケットに対応する誤り訂正データが存在する場合、当該誤り訂正データを記憶する。ＦＥＣトランスバンド中央局１０４が、帯域外部分時間スロット１１１（１）’の間にＦＥＣトランスバンド遠隔局１０６に誤り訂正データパケットを送信しない場合、ＦＥＣトランスバンド中央局１０４は、対応するベアラデータパケットを送信したときと同じダウンリンク時間フレーム１０８（１）における指定されたダウンリンク帯域外時間スロット１１１（１）の間に、誤り訂正データを誤り訂正データパケットとしてＦＥＣトランスバンド遠隔局１０６に送信する。ＦＥＣトランスバンド遠隔局１０６は、誤り訂正データパケットを受信し、ベアラデータパケットを訂正する。
【００５１】
例えば、ＦＥＣトランスバンド遠隔局１０６が、図２に示すＦＥＣトランスバンド遠隔局４である場合、ＦＥＣトランスバンド中央局１０４は、ダウンリンク時間フレーム１０８（１）の間に１つのベアラデータパケットをＦＥＣトランスバンド遠隔局４に送信するとともに、ベアラデータパケットに対応する誤り訂正データを記憶する。ＦＥＣトランスバンド遠隔局４は、ダウンリンク時間フレーム１０８（１）の時間スロットＤ７の間にベアラデータパケットを受信して記憶する。ＦＥＣトランスバンド中央局１０４は、ベアラデータパケットを送信したときと同じダウンリンク時間フレーム１０８（１）の間に、ＦＥＣトランスバンド遠隔局４に誤り訂正データを送信する。ＦＥＣトランスバンド遠隔局４は、時間スロットＤ１２の間に誤り訂正データパケットを受信し、ベアラデータパケットを訂正する。
【００５２】
しかしながら、ＦＥＣトランスバンド中央局１０４が、ダウンリンク帯域外部分時間スロット１１１（１）’の間に誤り訂正データパケットを送信する場合には、ＦＥＣトランスバンド中央局１０４は、多数のダウンリンク時間フレーム１０８（１）の間にそれぞれ送信される多数のベアラデータパケットに対応する誤り訂正データを記憶して蓄積する。ＦＥＣトランスバンド遠隔局１０６は、対応する誤り訂正データパケットを受信するまで、多数のベアラデータパケットを受信、記憶および蓄積する。ＦＥＣトランスバンド中央局１０４は、蓄積された誤り訂正データを、指定された時間フレーム１０８（１）の指定されたダウンリンク帯域外時間スロット１１１（１）の間に、誤り訂正データパケットとしてＦＥＣトランスバンド遠隔局１０６に送信する。ＦＥＣトランスバンド遠隔局は、誤り訂正データパケットを受信し、多数の蓄積されたベアラデータパケットを訂正する。
【００５３】
例えば、ＦＥＣトランスバンド遠隔局１０６が、図２に示すＦＥＣトランスバンド遠隔局２であり、ＦＥＣトランスバンド遠隔局１から３が、それぞれ３３  １／３％のオーバヘッド定格を有する場合、ＦＥＣトランスバンド中央局１０４は、３つのダウンリンク時間フレーム１０８（１）の間に、３つのベアラデータパケットをＦＥＣトランスバンド遠隔局２にそれぞれ送信するとともに、３つのベアラデータパケットに対応する誤り訂正データを蓄積する。ＦＥＣトランスバンド遠隔局２が、３つのダウンリンク時間フレーム１０８（１）の時間スロットＤ２の間に３つのベアラデータパケットを受信して蓄積する。ＦＥＣトランスバンド中央局１０４は、３番目のベアラデータパケットを送信するときと同じダウンリンク時間フレーム１０８（１）の間に、ＦＥＣトランスバンド遠隔局２に誤り訂正データパケットを送信する。ＦＥＣトランスバンド遠隔局２は、時間スロットＤ１０の間に誤り訂正データパケットを受信し、３つの蓄積されたベアラデータパケットを訂正する。
【００５４】
前述された一般的な手順に従うとき、ＦＥＣトランスバンド中央局１０４と特定のＦＥＣトランスバンド遠隔局１０６との間の通信プロセスは、ブロックコーディングを想定して説明されるが、本発明により教示される原理から離れることなく、他の種類のコーディングを用いることも可能である。ＦＥＣトランスバンド中央局のプロセッサ１１２’は、最初に、ダウンリンクベアラタイミングレジスタ１４０’、アップリンクベアラタイミングレジスタ１４２’、ダウンリンクＦＥＣタイミングレジスタ１４４’およびアップリンクＦＥＣタイミングレジスタ１４６’の各集合における、ＦＥＣトランスバンド遠隔局１０６に関する識別データを含むレジスタを、将来の同期データ（つまり、次の時間フレームペア１０８（１）／（２））に関する同期データ）により更新する。
【００５５】
それから、ＦＥＣトランスバンド中央局のプロセッサ１１２’は、ダウンリンクベアラタイミングレジスタ１４０’、アップリンクベアラタイミングレジスタ１４２’、ダウンリンクＦＥＣタイミングレジスタ１４４’およびアップリンクＦＥＣタイミングレジスタ１４４の各集合における、ＦＥＣトランスバンド遠隔局１０６に関するレジスタから、現在の同期データ（つまり、現在のダウンリンク時間フレーム１０８（１）とアップリンク時間フレーム１０８（２）に関する同期データ）を得る。同様に、ＦＥＣトランスバンド遠隔局のプロセッサ１１２は、ダウンリンクベアラタイミングレジスタ１４０、アップリンクベアラタイミングレジスタ１４２、ダウンリンクＦＥＣタイミングレジスタ１４４、およびアップリンクＦＥＣタイミングレジスタ１４６から現在の同期データを得る。
【００５６】
現在の同期データに従って、ＦＥＣトランスバンド中央局のプロセッサ１１２’は、現在のダウンリンク時間フレーム１０８（１）の指定された帯域内時間スロット１０９（１）の間にダウンリンクベアラデータパケットを送信するように、ＦＥＣトランスバンド中央局１０４に命令する。プロセッサ１１２’は、ダウンリンクベアラタイミングレジスタ１４０’、アップリンクベアラタイミングレジスタ１４２’、ダウンリンクＦＥＣタイミングレジスタ１４４’およびアップリンクＦＥＣタイミングレジスタ１４６’の各集合における関連するレジスタにアクセスし、そこから将来の同期データを得る。
【００５７】
下記にさらに詳説されるように、自動再試行要求（ＡＲＱ）信号がＦＥＣトランスバンド遠隔局１０６から受信されなかった場合、ＦＥＣトランスバンド中央局のプロセッサ１１２’は、トラフィックデータをダウンリンクベアラデータパケットとして誤り検出エンコーダ１１６’へ転送することを指示する制御信号を入出力装置１１４’に送信する。
【００５８】
プロセッサ１１２’は、将来の同期データを示すダウンリンク制御データを誤り検出エンコーダ１１６’に転送する。誤り検出エンコーダ１１６’は、ダウンリンク制御データをダウンリンクベアラデータパケットに付加する。誤り検出エンコーダ１１６’は、誤り検出アルゴリズムに従って、ダウンリンクベアラデータパケットに基づき誤り検出データを生成し、生成した誤り検出データをダウンリンクベアラデータパケットに付加する。誤り検出エンコーダ１１６’は、次いで、ダウンリンクベアラデータパケットを誤り訂正エンコーダ１１８’に転送する。誤り訂正エンコーダ１１８’は、誤り訂正アルゴリズムに従ってダウンリンクベアラデータパケットに基づき誤り訂正データを生成する。誤り訂正エンコーダ１１８’は、誤り訂正データをＦＥＣデータレジスタ１３４’の集合における関連するレジスタに転送し、このレジスタに、指定されたダウンリンク時間フレーム１０８（１）の指定されたダウンリンク帯域外時間スロット１１１（１）の間におけるダウンリンク誤り訂正データパケットとしての送信のために、誤り訂正データが記憶されて蓄積される。ただし、誤り訂正データパケットがダウンリンク帯域外部分時間スロット１１１（１）’において送信される場合には、指定されたダウンリンク時間フレーム１０８（１）は現在のダウンリンク時間フレーム１０８（１）ではない可能性がある。
【００５９】
誤り訂正エンコーダ１１８’は、変調器１２０’にダウンリンクベアラデータパケットを転送し、変調器１２０’において、ダウンリンクベアラデータパケットがダウンリンク搬送周波数上に変調される。それから、ダウンリンクベアラデータパケットは、送信機１２２’に転送され、送信機１２２’において、ダウンリンクベアラデータパケットが増幅されてフィルタリングされる。それから、送信機１２２’は、ダウンリンクベアラデータパケットをアンテナ１２４’に転送し、ダウンリンクベアラデータパケットは、アンテナ１２４’から、ＦＥＣトランスバンド遠隔局１０６のアンテナ１２４に無線送信される。
【００６０】
しかしながら、ＡＲＱ信号が受信された場合、ＦＥＣトランスバンド中央局のプロセッサ１１２’は、欠陥のあるベアラデータパケットに含まれていたのと同じトラフィックデータを誤り訂正エンコーダ１１６’に再転送するように入出力装置１１４’（または内部記憶装置）に命令する。その後、ダウンリンクベラデータデータパケットは、ＦＥＣトランスバンド中央局１０４を通して、ＡＲＱ信号が受信されなかった場合と同じように、ＦＥＣトランスバンド中央局１０４によって処理される。
【００６１】
先入れ先出し（ＦＩＦＯ）プロトコルを保つため、先行するダウンリンク時間フレーム１０８（１）の間にＦＥＣトランスバンド中央局１０４によって送信されたダウンリンクベアラデータパケットであって、ただし欠陥のあるベアラデータパケットの送信後に送信されたすべてのダウンリンクベアラデータパケットは、欠陥のあるベアラパケットに対応するベアラデータパケットの再送に続いて、将来のダウンリンク時間フレーム１０８（１）の間に再送信される。現在のダウンリンク時間フレーム１０８（１）の間あるいは将来のダウンリンク時間フレーム１０８（１）の間に送信される誤り訂正データパケットは、欠陥のあるベアラデータパケットに関連つけられたものと同じ誤り訂正データをその始めに含む。下記にさらに詳述されるように、欠陥のあるベアラデータパケットの受信前に受信されたベアラデータパケット、および当該先のベアラデータパケットに関する誤り訂正データパケットの部分は、すでに処理済みであり、従って再送信される必要はない。
【００６２】
現在の同期データに従って、ＦＥＣトランスバンド遠隔局のプロセッサ１１２は、現在のダウンリンク時間フレーム１０８（１）の指定された帯域内時間スロット１０９（１）の間にダウンリンクベアラデータパケットを受信するように、ＦＥＣトランスバンド遠隔局１０６に命令する。ＦＥＣトランスバンド遠隔局１０６のアンテナ１２４は、ダウンリンクベアラデータパケットを受信する。ダウンリンクベアラデータパケットは、受信機１２６に転送され、受信機１２６においてフィルタリングされ、復調器１２８に転送される。復調器１２８は、搬送周波数からダウンリンクベアラデータパケットを復調し、ダウンリンクベアラデータパケットをベアラ／ＦＥＣデータレジスタ１３６に転送し、ベアラ／ＦＥＣデータレジスタ１３６において、ＦＥＣトランスバンド遠隔局１０６がダウンリンク誤り訂正データパケットを受信するまで、ダウンリンクベアラデータパケットが記憶される。
【００６３】
現在の同期データに従って、ＦＥＣトランスバンド中央局のプロセッサ１１２’は、指定されたダウンリンク時間フレーム１０８（１）の指定された帯域外時間スロット１１１（１）の間にダウンリンク誤り訂正データパケットを送信するように、ＦＥＣトランスバンド中央局１０４に命令する。
【００６４】
現在の同期データが、ダウンリンク誤り訂正データパケットが現在のダウンリンク時間フレーム１０８（１）の間にＦＥＣトランスバンド遠隔局１０６に送信されてはならないことを示す場合、ＦＥＣトランスバンド中央局のプロセッサ１１２’は、現在のダウンリンク時間フレーム１０８（１）の間にはダウンリンク誤り訂正データパケットを送信しないように、ＦＥＣトランスバンド中央局１０４に命令する。代わりに、ＦＥＣデータレジスタ１３２’の集合における関連するレジスタに記憶された誤り訂正データは、将来のダウンリンク時間フレーム１０８（１）の間に、ダウンリンク誤り訂正データパケットとして、ＦＥＣトランスバンド遠隔局１０６に送信される。
【００６５】
現在の同期データが、ダウンリンク誤り訂正データパケットが現在のダウンリンク時間フレーム１０８（１）の間に送信されなければならないことを示す場合、ＦＥＣトランスバンド中央局のプロセッサ１２２’は、現在のダウンリンク時間フレーム１０８（１）の指定されたダウンリンク帯域外時間スロット１１１（１）の間にダウンリンクベアラデータパケットを送信するように、ＦＥＣトランスバンド中央局１０４に命令する。
【００６６】
ＦＥＣトランスバンド中央局のプロセッサ１１２’は、誤り訂正データをダウンリンク誤り訂正データパケットとして変調器１２０’に転送するように促す制御信号を、ＦＥＣデータレジスタ１３４’の集合における関連するレジスタに送信し、変調器１２０’において、ダウンリンク誤り訂正データパケットはアップリンク搬送周波数上に変調される。それから、ダウンリンク誤り訂正データパケットは、送信機１２２’に転送され、送信機１２２’において、ダウンリンク誤り訂正データパケットは増幅されてフィルタリングされる。それから、送信機１２２’は、ダウンリンク誤り訂正データパケットをアンテナ１２４’に転送し、アンテナ１２４’において、ダウンリンク誤り訂正データパケットは、現在のダウンリンク時間フレーム１０８（１）の指定されたダウンリンク帯域外時間スロット１１１（１）の間にＦＥＣトランスバンド遠隔局１０６のアンテナ１２４に無線送信される。
【００６７】
現在の同期データに従って、ＦＥＣトランスバンド遠隔局のプロセッサ１１２は、指定されたダウンリンク時間フレーム１０８（１）の指定されたダウンリンク帯域外時間スロット１１１（１）の間にダウンリンク誤り訂正データパケットを受信するように、ＦＥＣトランスバンド遠隔局１０６に命令する。このとき、誤り訂正データパケットがダウンリンク帯域外部分時間スロット１１１（１）’で送信される場合には、指定されたダウンリンク時間フレーム１０８（１）は現在のダウンリンク時間フレーム１０８（１）ではない可能性がある。
【００６８】
現在の同期データが、ダウンリンク誤り訂正データパケットが現在のダウンリンク時間フレーム１０８（１）の間にＦＥＣトランスバンド遠隔局１０６によって受信されてはならないことを示す場合、ＦＥＣトランスバンド遠隔局のプロセッサ１１２は、誤り訂正データパケットを受信せず、受信されたダウンリンクベアラデータパケットのどれも訂正しないように、ＦＥＣトランスバンド遠隔局１０６に命令する。代わりに、ベアラ／ＦＥＣデータレジスタ１３６に記憶されるすべてのベアラデータパケットは、将来のダウンリンク時間フレーム１０８（１）の間に訂正される。
【００６９】
現在の同期データが、ダウンリンク誤り訂正データパケットが現在のダウンリンク時間フレーム１０８（１）の間にＦＥＣトランスバンド遠隔局１０６によって受信されなければならないことを示す場合、ＦＥＣトランスバンド遠隔局のプロセッサ１１２は、誤り訂正データパケットを受信し、受信されたダウンリンクベアラデータパケットを訂正するように、ＦＥＣトランスバンド遠隔局１０６に命令する。ＦＥＣトランスバンド遠隔局１０６のアンテナ１２４は、ダウンリンク誤り訂正データパケットを受信する。ダウンリンク誤り訂正データパケットは、受信機１２６に転送され、受信機１２６においてフィルタリングされ、復調器１２８に転送される。復調器１２８は、ダウンリンク誤り訂正データパケットを搬送周波数から抽出し、ダウンリンク誤り訂正データパケットをベアラ／ＦＥＣデータレジスタ１３６に転送する。
【００７０】
ＦＥＣトランスバンド遠隔局のプロセッサ１１２が、最初にベアラデータ／ＦＥＣレジスタ１３４に入力されたダウンリンクベアラデータパケットと、この最初のダウンリンクベアラデータパケットに関連つけられたダウンリンク誤り訂正データパケットの部分とを誤り訂正デコーダ１３０に転送させる制御信号を、ベアラデータ／ＦＥＣレジスタ１３４に送信する。なお、帯域外部分時間スロット１１１（１）’が使用されない場合、最初のダウンリンクベアラデータパケットが、ベアラデータ／ＦＥＣレジスタ１３４内の唯一のダウンリンクベアラデータパケットとなり、ダウンリンク誤り訂正データパケット全体がこのダウンリンクベアラデータパケットに対応する。しかしながら、帯域外部分時間スロット１１１（１）’が使用される場合には、最初のダウンリンクベアラデータパケットが、ベアラデータ／ＦＥＣレジスタ１３４内の複数のダウンリンクベアラデータパケットのうちの最初のものとなり、ダウンリンク誤り訂正データパケットの部分だけがこのダウンリンクベアラデータパケットに対応するだろう。それから、誤り訂正デコーダ１３０は、誤り訂正データを生成するためにＦＥＣトランスバンド中央局１０４によって使用された誤り訂正アルゴリズムの限度内で、ダウンリンクベアラデータパケットを訂正する。その後、訂正されたダウンリンクベアラデータパケットは、誤り検出デコーダ１３２に転送され、誤り検出デコーダ１３２において、ダウンリンクベアラデータパケットは、残留誤りが存在するか否かを確定するために処理される。
【００７１】
誤り検出デコーダ１３２が訂正されたダウンリンクベアラデータパケット内の残留誤りを検出しない場合、誤り検出デコーダ１３２は、有効なダウンリンクベラデータパケットを誤り検出デコーダ１３２が現在所有していることを示す制御信号を、プロセッサ１１２に送信する。それから、ダウンリンクベアラデータパケットからダウンリンク制御データが分離される。ダウンリンクベアラデータパケットは、入出力装置１１４に転送され、入出力装置１１４において、有効なダウンリンクベアラデータパケットとして処理され、ダウンリンク制御データは、プロセッサ１１２に転送され、プロセッサ１１２において適宜処理される。
【００７２】
誤り検出デコーダ１３２が、最初の訂正済みダウンリンクベアラデータパケット内で少なくとも１つの残留誤りを検出し、従って欠陥のあるダウンリンクベアラデータパケットを検出する場合、誤り検出デコーダ１３２は、欠陥のあるダウンリンクベアラデータパケットの存在を示す制御信号を、プロセッサ１１２に送信する。入出力装置が遅延に敏感ではない場合（例えば、データ装置）、欠陥のあるダウンリンクベアラデータパケットは入出力装置１１４に転送されない。代わりに、プロセッサ１１２は、次に使用可能なアップリンク時間フレーム１０８（２）の帯域内時間スロットの間にＡＲＱアップリンク制御データをＦＥＣトランスバンド中央局１０４に送信するように、ＦＥＣトランスバンド遠隔局１０６に命令する。アップリンク制御データは、特定の欠陥のあるベアラデータパケットも示す。以前に送信された欠陥のあるベアラデータパケットおよびその後続のすべてのデータパケットが再送されるので、プロセッサ１１２は、内部のすべてのダウンリンクベアラデータおよびダウンリンク誤り訂正データを除去させる制御信号を、誤り訂正デコーダ１３０およびベアラ／ＦＥＣデータレジスタ１３６に送信する。除去されたベアラデータパケットに関連付けられ、将来のダウンリンク時間フレーム１０８（１）の間に受信される残りのダウンリンク誤り訂正データも、すべて除去される。いくつかのアプリケーションでは、残留誤りは、遅延を回避するために許容されてもよい。このような場合、ダウンリンクベアラデータパケットは、入出力装置１４に転送され、入出力装置１４において適宜処理され、従って、ＡＲＱアップリンク制御データがＦＥＣトランスバンド中央局１０４に送信されることはない。
【００７３】
代替実施態様では、残りのダウンリンクベアラデータおよび対応するダウンリンク誤り訂正データが除去されず、欠陥のあるダウンリンクベアラデータパケットだけが再び再送信される。すなわち、欠陥のあるベアラデータパケットの受信に続いて、ＦＥＣトランスバンド遠隔局１０６によって受信されたダウンリンクベアラデータパケットおよびこれらのベアラデータパケットに対応するダウンリンク誤り訂正データは、再び再送信されることはない。ＦＥＣトランスバンド遠隔局１０６が、再送信されたダウンリンクベアラデータパケットと、ダウンリンクベアラデータパケットに対応するダウンリンク誤り訂正データとを受信すると、再送信されたダウンリンクベアラデータパケットは最初に訂正され、残りのダウンリンクベアラデータパケットは、欠陥のあるダウンリンクベアラデータパケットが全く存在しなかった場合と同様に訂正される。
【００７４】
入出力装置１１４が遅延に敏感である場合（例えば、音声エンコーダ／デコーダ）、欠陥のあるダウンリンクベアラデータパケットは、欠陥のあるアップリンクトラフィックデータとして入出力装置１１４に出力される。しかしながら、プロセッサ１１２は、欠陥のあるダウンリンクトラフィックデータを示す制御信号を入出力装置１１４に送信する。
【００７５】
訂正されたベアラデータパケットにおいて残留誤りが検出されない場合、あるいは入出力装置１１４が遅延に敏感な場合には、プロセッサ１１２は、次のダウンリンクベアラデータパケットを誤り訂正デコーダ１３０に転送させ、該当する場合はさらに、次のダウンリンクベアラデータパケットに関連つけられた誤り訂正データパケットの部分を誤り訂正デコーダ１３０に転送させる制御信号を、ベアラ／ＦＥＣデータレジスタ１３６に送信する。誤り訂正デコーダ１３０は、誤り訂正アルゴリズムの限度内で次のダウンリンクベアラデータパケットを訂正する。それから、訂正されたダウンリンクベアラデータパケットは、前述された最初のダウンリンクベアラデータパケットと同じように処理される。
【００７６】
このダウンリンクベアラデータパケット訂正および検出プロセスは、ベアラ／ＦＥＣデータレジスタ１３６内に現在記憶されているダウンリンクベアラデータパケットのすべてがＦＥＣトランスバンド遠隔局１０６によって処理されるまで、繰り返される。ただし、いくつかの例では、受信されたダウンリンク誤り訂正パケットに含まれている誤り訂正データが、受信されたダウンリンクベアラデータパケットの個数に厳密に対応しない。受信された誤り訂正データの量は、記憶されて蓄積されているダウンリンクベアラデータパケットのすべてを訂正するために必要とされる量より多くなったり少なくなったりすることがある。
【００７７】
帯域外部分時間スロット１１１（１）’を利用するときにベアラデータパケットを符号化する代替方法では、分割可能な誤り訂正データパケット（つまり、複数のベアラデータパケットにそれぞれ対応する複数の部分を含む１つの誤り訂正データパケット）を生成するよりむしろ、全体として複数のベアラデータパケットに対応する１つの誤り訂正データパケットが生成される。すなわち、数時間スロット分に相当するベアラデータは、ＦＥＣトランスバンド中央局１０４の誤り訂正エンコーダ１１８’に転送され、そこでは全体としてベアラデータに対応する誤り訂正データが生成される。ベアラデータは、複数のベアラデータパケットとしてＦＥＣトランスバンド遠隔局１０６に送信され、ＦＥＣトランスバンド遠隔局１０６において、複数のダウンリンク時間フレーム１０８（１）にわたって受信されて蓄積される。誤り訂正データは、誤り訂正データパケットとしてＦＥＣトランスバンド遠隔局１０６に送信され、ＦＥＣトランスバンド遠隔局１０６において、全体として複数のベアラデータパケットを訂正するために使用される。残留誤りが検出されると、ＦＥＣトランスバンド遠隔局１０６は、複数のベアラデータパケットおよび誤り訂正データパケットが再送信されなければならないことを示すＡＲＱ制御信号をＦＥＣトランスバンド中央局１０４に送信する。
【００７８】
ＦＥＣトランスバンド中央局のプロセッサ１１２’は、最後に、ダウンリンクベアラタイミングレジスタ１４０’、アップリンクベアラタイミングレジスタ１４２’、ダウンリンクＦＥＣタイミングレジスタ１４４’およびアップリンクＦＥＣタイミングレジスタ１４６’の集合における関連するレジスタ内に記憶された将来の同期データを、現在の同期データとして繰り越し、この現在の同期データが、下記にさらに詳説されるように、次の時間フレームペア１０８（１）／（２）の間に使用されることになる。
【００７９】
現在の同期データに従って、ＦＥＣトランスバンド遠隔局のプロセッサ１１２は、アップリンクベアラデータパケットおよびアップリンク誤り訂正データパケットを生成して送信するようにＦＥＣトランスバンド遠隔局１０６に命令し、ＦＥＣトランスバンド中央局のプロセッサ１１２’は、ダウンリンクベアラデータパケットおよびダウンリンク誤り訂正データパケットに関して前述されたのと同じように、アップリンクベアラデータパケットおよびアップリンク誤り訂正データパケットを受信して訂正するようにＦＥＣトランスバンド中央局１０４に命令する。しかしながら、同期データの制御がＦＥＣトランスバンド中央局１０４に集中化されているので、ＦＥＣトランスバンド遠隔局１０６によってアップリンクベアラデータパケット上に符号化されるどの制御信号も、同期データを含まない。
【００８０】
ＴＤＭＡ／ＴＤＤフォーマットで構成された無線通信システム１００の動作は、ＴＤＭＡ／ＦＤＤフォーマットで構成された無線通信システム１００に関して前述された動作と同様であり、その相違点として、ＦＥＣトランスバンド遠隔局１０６が、ダウンリンク時間フレーム１０８（１）およびアップリンク時間フレーム１０８（２）ではなく、単一ダウンリンク／アップリンク時間フレーム１０８（３）の間に、ダウンリンクベアラデータパケットおよびダウンリンク誤り訂正データパケットを受信し、アップリンクベアラデータパケットおよびアップリンク誤り訂正データパケットを送信するという点である。
【００８１】
なお、ＦＥＣトランスバンド遠隔局１０６が、ダウンリンクベアラデータパケット、アップリンクベアラデータパケット、ダウンリンク誤り訂正パケット、およびアップリンク誤り訂正データパケットの送信または受信を行う順序は、前述された順序に制限されず、本発明により教示される原理から離れることなく任意の順序で送信されてよい。
【００８２】
図２と図７を参照すると、ＴＤＭＡ／ＦＤＤフォーマットで構成された無線通信システム１００の動作が、現在のダウンリンク時間フレーム１０８（１）とアップリンク時間フレーム１０８（２）におけるＦＥＣトランスバンド中央局（ＣＳ）１０４と多数のＦＥＣトランスバンド遠隔局（ＲＳ）１０６との間でのダウンリンクおよびアップリンク周波数ペアを介したベアラデータパケットおよび誤り訂正データパケットの伝送に関して、システムレベルで説明される。
【００８３】
無線通信システム１００は、システム誤り訂正データのオーバヘッド（つまり、ＦＥＣトランスバンド中央局と現在通信中のＦＥＣトランスバンド遠隔局１０６に必要とされる合計の誤り訂正データのオーバヘッド）、およびシステムトラフィックデータのオーバヘッド（つまり、ＦＥＣトランスバンド中央局と現在通信中のＦＥＣトランスバンド遠隔局１０６に必要とされる合計のトラフィクデータのオーバヘッド）を含み、これらのオーバヘッドを、本明細書での説明のために、集合的に「システムデータオーバヘッド」と呼ぶ。無線通信システム１００は、現在の遠隔局割当ての組み合わせ（例えば、図２に図示されるように、ＦＥＣトランスバンド遠隔局１から３が、ダウンリンク帯域内時間スロット１０９（１）としての時間スロットＤ１、Ｄ２およびＤ５にそれぞれ割り当てられ、ダウンリンク帯域外時間スロット１１１（１）としての時間スロットＤ１０に割り当てられ、ＦＥＣトランスバンド遠隔局４は、ダウンリンク帯域内時間スロット１０９（１）としての時間スロットＤ７に割り当てられ、ダウンリンク帯帯域外時間スロット１１１（１）としての時間スロットＤ１２に割り当てられる）も含む。現在の遠隔局割当ての組み合わせは、システムデータオーバヘッドが未変更のままである限り、変化しない。しかしながら、ＦＥＣトランスバンド遠隔局がＦＥＣトランスバンド中央局との通信を開始しようとする場合（これ以降「開始側ＦＥＣトランスバンド遠隔局」と呼ばれる）、ＦＥＣトランスバンド遠隔局がＦＥＣトランスバンド中央局との通信を終了しようとする場合（これ以降、「終了側ＦＥＣトランスバンド遠隔局」と呼ばれる）、あるいはＦＥＣトランスバンド遠隔局がその誤り訂正オーバヘッド定格を変更しようとする場合（これ以降、オーバヘッド変更側ＦＥＣトランスバンド遠隔局と呼ばれる）など、いくつかの場合では、システムデータオーバヘッドが変更されなければならないことがある。この場合、現在の遠隔局割当ての組み合わせは、システムデータオーバヘッドにおける変更に対処するように将来の遠隔局割当ての組み合わせを選択することによって変更される。
【００８４】
ステップ１５２では、ＦＥＣトランスバンド中央局１０４は、現在のダウンリンク時間フレーム１０８（１）およびアップリンク時間フレーム１０８（２）（時間フレームペア１０８（１）／（２））の開始時に、無線通信システム１００のシステムデータオーバヘッドが次の時間フレームペア１０８（１）／（２）において変更されなければならないかどうかを判断する。ＦＥＣトランスバンド中央局のプロセッサ１１２’は、第１の処理として、ＦＥＣトランスバンド遠隔局１０６が、ＦＥＣトランスバンド中央局１０４との通信を開始しようとするかどうかを判断する。ＦＥＣトランスバンド遠隔局１０６は、専用ブロードキャストチャネルを介して要求信号を送信することによって、ＦＥＣトランスバンド中央局１０４との通信の開始を要求し、この要求信号は、次いで、アップリンク時間フレーム１０８（２）の専用ブロードキャスト時間スロット（図示せず）の間にＦＥＣトランスバンド中央局１０４によって受信されて処理される。
【００８５】
ＦＥＣトランスバンド中央局のプロセッサ１１２’は、第２の処理として、ＦＥＣトランスバンド中央局１０４と現在通信中のＦＥＣトランスバンド遠隔局１０６が、ＦＥＣトランスバンド中央局１０４との通信を終了しようとするかどうかを判断する。ＦＥＣトランスバンド遠隔局１０６は、アップリンク時間フレーム１０８（２）の帯域内時間スロット１０９（２）の間に、ＦＥＣトランスバンド中央局１０４との通信を終了するという要求を示す制御データを含むベアラデータパケットを送信することにより、ＦＥＣトランスバンド中央局１０４との通信の終了を要求し、次いで、このベアラデータパケットは、ＦＥＣトランスバンド中央局１０４によって受信して処理される。
【００８６】
ＦＥＣトランスバンド中央局のプロセッサ１１２’は、第３の処理として、ＦＥＣトランスバンド中央局１０４と現在通信中であるＦＥＣトランスバンド遠隔局０６が、ダウンリンク伝送に関してそのオーバヘッド定格を調整しようとするかどうか、あるいはＦＥＣトランスバンド中央局１０４が、アップリンク伝送に関してＦＥＣトランスバンド遠隔局１０６のオーバヘッド定格を調整しようとするかどうかを判断する。ＦＥＣトランスバンド遠隔局１０６は、アップリンク時間フレーム１０８（２）の帯域内時間スロット１０９（２）の間に、誤り訂正アルゴリズムの選択を示す制御データを含むベアラデータパケットを送信することにより、そのオーバヘッド定格の調整を要求し、このベアラデータパケットは、次いで、ＦＥＣトランスバンド中央局１０４によって受信されて処理される。ＦＥＣトランスバンド中央局１０４は、ダウンリンク時間フレーム１０８（１）の帯域内時間スロット１０９（１）の間に、誤り訂正アルゴリズムの選択を示す制御データを送信することによって、ＦＥＣトランスバンド遠隔局１６のオーバヘッド定格の調整を要求する。
【００８７】
ＦＥＣトランスバンド中央局１０４との通信の開始または終了を要求する信号をＦＥＣトランスバンド中央局１０４がＦＥＣトランスバンド遠隔局１０６から受信していない場合、あるいは、ＦＥＣトランスバンド遠隔局１０６およびＦＥＣトランスバンド中央局１０４のいずれもＦＥＣトランスバンド遠隔局１０６のオーバヘッド定格の調整を要求していない場合に、ＦＥＣトランスバンド中央局は、システムデータオーバヘッドが変更されてはならないと判断する。それから、無線通信システム１００は、ステップ１５４〜１６０に進み、ここで、ＦＥＣトランスバンド中央局１０４が、ＦＥＣトランスバンド中央局１０４と現在通信中であるＦＥＣトランスバンド遠隔局１０６と通信する。
【００８８】
ステップ１５４では、ＦＥＣトランスバンド中央局１０４は、ＦＥＣトランスバンド中央局と現在通信中であるＦＥＣトランスバンド遠隔局１０６があるかどうかを判断する。どのＦＥＣトランスバンド遠隔局１０６もＦＥＣトランスバンド中央局１０４と現在通信中でない場合、無線通信システム１００はステップ１５２に戻り、ここで、ＦＥＣトランスバンド中央局１０４が、次の時間フレームペア１０８（１）／（２）の間に、システムデータオーバヘッドが変更されなければならないかどうかを再び判断する。
【００８９】
ステップ１５４で、いずれかのＦＥＣトランスバンド遠隔局１０６が、現在ＦＥＣトランスバンド中央局１０４と通信中である場合には、ＦＥＣトランスバンド中央局１０４は、ステップ１５６で将来の同期データを確定する。すなわち、ＦＥＣトランスバンド中央局のプロセッサ１１２’は、ＦＥＣトランスバンド遠隔局１０６ごとに、ベアラデータパケットをそれぞれ送受信する際に用いる次の帯域内時間スロットペア１０９（１）／（２）および次の時間フレームペア１０８（１）／（２）を確定する。ＦＥＣトランスバンド中央局のプロセッサ１１２’はまた、ＦＥＣトランスバンド遠隔局１０６ごとに、各ＦＥＣトランスバンド遠隔局１０６が誤り訂正データパケットをそれぞれ送受信する際に用いる、次の帯域外時間スロット１１１（１）および帯域外時間スロット１１１（２）（帯域外時間スロットペア１１１（１）／（２））および次の時間フレームペア１０８（１）／（２）を確定する。それから、ＦＥＣトランスバンド中央局のプロセッサ１１２’は、ダウンリンクベアラタイミングレジスタ１４０’、アップリンクベアラタイミングレジスタ１４２’、ダウンリンク誤り訂正タイミングレジスタ１４４’およびアップリンク誤り訂正タイミングレジスタ１４６’の将来の集合における将来の同期データを、この情報で適宜更新する。
【００９０】
（ある遠隔局に係る開始、終了、またはオーバヘッドの変更に起因した）ＦＥＣトランスバンド遠隔局１０６の再割り当てが生じない限り、ＦＥＣトランスバンド遠隔局１０６によってそれぞれ使用される特定の帯域内時間スロットペア１０９（１）／（２）および帯域外時間スロットペア１１１（１）／（２）は不変のままである。この場合、帯域内時間スロットペア１０９（１）／（２）および帯域外時間スロットペア１１１（１）／（２）に関する同期データは、各時間フレームにわたって同じままである。
【００９１】
ＦＥＣトランスバンド遠隔局１０６のどれかが帯域外部分時間スロットペア１１１（１）／（２）’を利用すると、これらのＦＥＣトランスバンド遠隔局１０６のそれぞれは、すべての時間フレームペア１０８（１）／（２）を使用するのではなく、各時間フレームペア１０８（１）／（２）を共用する。この場合、時間フレームペア１０８（１）／（２）に関する同期データが変化する。ある特定の帯域外時間スロットペア１１１（１）／（２）を共用する複数の遠隔局１０６に関して、ＦＥＣトランスバンド中央局のプロセッサ１１２’が、以下の基準を考慮することにより、次の時間フレームペア１０８（１）／（２）の間に誤り訂正データをそれぞれ送受信するＦＥＣトランスバンド遠隔局１０６を選択する。
【００９２】
ある特定のダウンリンク帯域外部分時間スロット１１１（１）’に関して、選択される特定のＦＥＣトランスバンド遠隔局１０６は、次のダウンリンク時間フレーム１０８（１）の間での誤り訂正データパケットの受信直前において、ＦＥＣトランスバンド中央局１０４が当該ＦＥＣトランスバンド遠隔局１０６に係る最大量の誤り訂正データをその時点で記憶しているであろうものである。ＦＥＣトランスバンド中央局１０４によって最大量の誤り訂正データが記憶されているＦＥＣトランスバンド遠隔局１０６が２つ以上存在する場合、最小のオーバヘッド定格を有するＦＥＣトランスバンド遠隔局１０６（つまり、指定された量のダウンリンク時間フレーム１０８（１）の間に最長の時間遅延を受けるＦＥＣトランスバンド遠隔局１０６）が選択される。最小のオーバヘッド定格を有する２つ以上のＦＥＣトランスバンド遠隔局１０６がある場合には、ＦＥＣトランスバンド中央局のプロセッサ１１２’は、ＦＥＣトランスバンド中央局１０４との通信を最初に初期化したＦＥＣトランスバンド遠隔局１０６を選ぶ。
【００９３】
例えば、図８は、単一のダウンリンク帯域外時間スロット１１１（１）を共用する３つのＦＥＣトランスバンド遠隔局１０６（ＦＥＣトランスバンド遠隔局１から３）の誤り訂正ブロック伝送シーケンスを示す。ダウンリンク時間フレーム１０８ごとに、各ＦＥＣトランスバンド遠隔局１から３についてＦＥＣトランスバンド中央局１０４に蓄積される誤り訂正オーバヘッドの量が示される。蓄積される誤り訂正オーバヘッドの量は、さらに、「グロスオーバヘッド」および「正味オーバヘッド」に分割される。「グロスオーバヘッド」は、ダウンリンク時間フレーム１０８の共用されるダウンリンク帯域外時間スロット１０９（１）の間における誤り訂正データパケットの伝送を考慮に入れない場合の、ダウンリンク時間フレーム１０８（１）の最後における蓄積された誤り訂正データのオーバヘッドである。「正味オーバヘッド」は、そのダウンリンク時間フレーム１０８の共用されるダウンリンク帯域外時間スロット１０９（１）の間の誤り訂正データパケットの伝送を考慮に入れた、そのダウンリンク時間フレーム１０８（１）の最後における蓄積された誤り訂正データのオーバヘッドである。ＦＥＣトランスバンド遠隔局１から３のそれぞれが、３３  １／３％のオーバヘッド定格を有する。
【００９４】
ダウンリンク時間フレーム１の間、ＦＥＣトランスバンド遠隔局１から３に関するグロスオーバヘッドはそれぞれ１００％、３３％および６７％であることが示される。ＦＥＣトランスバンド遠隔局１に関するグロスオーバヘッドが最大であるので、ＦＥＣトランスバンド遠隔局１が、時間フレーム１の間にＦＥＣトランスバンド中央局１０４から誤り訂正データパケットを受信するために、先行するダウンリンク時間フレーム１０８においてＦＥＣトランスバンド中央局のプロセッサによって選択されている。ＦＥＣトランスバンド遠隔局３に関するグロスオーバヘッドが時間フレーム２の間に最大になるので、ダウンリンク時間フレーム１の開始時に、ＦＥＣトランスバンド中央局のプロセッサ１１２’は、ダウンリンク時間フレーム２の間に誤り訂正データパケットを受信するＦＥＣトランスバンド遠隔局３を選択する。時間フレーム１の間、ＦＥＣトランスバンド遠隔局１に関して蓄積された誤り訂正データを含みかつ１００％のオーバヘッドを有する誤り訂正データパケットが、ＦＥＣトランスバンド遠隔局１に送信される。その結果として、ＦＥＣトランスバンド遠隔局１に関する正味オーバヘッドは１００％から０％に変化し、ＦＥＣトランスバンド遠隔局２と３に関する正味オーバヘッドは、それぞれ３３％と６７％で未変更のままである。
【００９５】
時間フレーム２の間、ベアラデータパケットを各ＦＥＣトランスバンド遠隔局１から３へ送信した後に、さらに３３％のオーバヘッドがＦＥＣトランスバンド遠隔局１から３のそれぞれに関して蓄積され、これにより、ＦＥＣトランスバンド遠隔局１から３に対して３３％、６７％、および１００％というグロスオーバヘッドをそれぞれ生じさせる。時間フレーム２の間、ＦＥＣトランスバンド遠隔局３に関して蓄積された誤り訂正データを含みかつ１００％のオーバヘッドを有する誤り訂正データパケットが、ＦＥＣトランスバンド遠隔局３に送信される。その結果、ＦＥＣトランスバンド遠隔局３に関する正味オーバヘッドは、１００％から０％に変化し、ＦＥＣトランスバンド遠隔局１と２に関する正味オーバヘッドはそれぞれ３３％と６７％で未変更のままである。
【００９６】
図８に示されているように、前述された基準に従うことによって、３つの時間フレームごとに繰り返す周期的なパターン（ＦＥＣトランスバンド遠隔局１から３は、「１」→「３」→「２」の順序で誤り訂正データパケットを受信する。）が、時間フレーム１で開始する。すなわち、ＦＥＣトランスバンド遠隔局１は、時間フレーム１，４，７等の間にそれぞれ誤り訂正データパケットを受信する。ＦＥＣトランスバンド遠隔局２は、時間フレーム３、６、９等の間にそれぞれ誤り訂正データパケットを受信する。ＦＥＣトランスバンド遠隔局３は、時間フレーム２、５、８等の間にそれぞれ誤り訂正データパケットを受信する。
【００９７】
図９は、３つのＦＥＣトランスバンド遠隔局１０６（ＦＥＣトランスバンド遠隔局１から３）のそれぞれが２０％のオーバヘッド定格（合計６０％）を有する場合の、誤り訂正データパケットシーケンスを示す。周期的なパターンは、図８に関して前述されたものと同じであることがわかるであろう。ただし、ＦＥＣトランスバンド遠隔局１から３のそれぞれにより受信される誤りデータパケットは、１００％ではなく６０％のオーバヘッドを有する。
【００９８】
図１０は、３つのＦＥＣトランスバンド遠隔局１０６（ＦＥＣトランスバンド遠隔局１から３）がそれぞれ２０％、５０％、および１０％のオーバヘッド定格（合計８０％）を有する場合の、誤り訂正データパケットシーケンスを示す。７つの時間フレームごとに繰り返す周期的なパターン（ＦＥＣトランスバンド遠隔局１から３は、「２」→「１」→「２」→「２」→「１」→「２」→「３」の順序で誤り訂正データパケットを受信する。）が、時間フレーム６で開始することがわかるであろう。すなわち、ＦＥＣトランスバンド遠隔局１は、時間フレーム７，１０、１４、１７等の間にそれぞれ誤り訂正データパケットを受信する。ＦＥＣトランスバンド遠隔局２は、時間フレーム６，８，９，１１，１３，１５，１６，１８等の間にそれぞれ誤り訂正データパケットを受信する。ＦＥＣトランスバンド遠隔局３は、時間フレーム１２，１９等の間にそれぞれ誤り訂正データパケットを受信する。ＦＥＣトランスバンド遠隔局１から３によって受信される誤り訂正データパケットは、変化する。ＦＥＣトランスバンド遠隔局１は、６０％または８０％のどちらかのオーバヘッドを有する誤り訂正データパケットを受信する。ＦＥＣトランスバンド遠隔局２は、５０％または１００％どちらかのオーバヘッドを有する誤り訂正データパケットを受信する。ＦＥＣトランスバンド遠隔局３は、７０％のオーバヘッドを有する誤り訂正データパケットを受信する。
【００９９】
図８、図９および図１０に示されるように、生成される特定の周期的なパターンは、ダウンリンク帯域外時間スロット１１１（１）を共用する各ＦＥＣトランスバンド遠隔局１０６のオーバヘッド定格に依存する。
【０１００】
このようにして、ＦＥＣトランスバンド中央局のプロセッサ１１２’は、前記基準に従って、次のダウンリンク時間フレーム１０８（１）の共用されたダウンリンク帯域外時間スロット１１１（１）の間に誤り訂正データパケットを受信する特定のＦＥＣトランスバンド遠隔局１０６を選択する。同様にして、ＦＥＣトランスバンド中央局のプロセッサ１１２’は、次のアップリンク時間フレーム１０８（２）の共用されるアップリンク帯域外時間スロット１１１（２）の間に誤り訂正データパケットを送信する特定のＦＥＣトランスバンド遠隔局１０６を選択する。ある特定のＦＥＣトランスバンド遠隔局が誤り訂正データを受信するために必要とするオーバヘッドは、その特定のＦＥＣトランスバンド遠隔局１０６が誤り訂正データを送信するために必要とするオーバヘッドとは異なることがあるので、特定のＦＥＣトランスバンド遠隔局１０６に関するダウンリンク誤り訂正データパケットシーケンスは、特定のＦＥＣトランスバンド遠隔局１０６に関するアップリンク誤り訂正データパケットシーケンスとは異なってよい。従って、ＦＥＣトランスバンド遠隔局１０６は、必ずしも、ある特定のアップリンク時間フレーム１０８（２）の間に誤り訂正データパケットを送信したり、対応するダウンリンク時間フレーム１０８（１）の間に誤り訂正データパケットを受信したりしなくてもよい。
【０１０１】
ステップ１５８では、ＦＥＣトランスバンド中央局１０４は、ＦＥＣトランスバンド中央局１０４と現在通信中であるＦＥＣトランスバンド遠隔局１０６と通信する。現在の時間フレームペア１０８（１）／（２）の間、ＦＥＣトランスバンド中央局１０４は、図４に関して前述されたのと同じように、これらのＦＥＣトランスバンド遠隔局１０６にデータを送信し、ＦＥＣトランスバンド遠隔局１０６からデータを受信する。すなわち、ＦＥＣトランスバンド中央局のプロセッサ１１２’は、ＦＥＣトランスバンド遠隔局１０４のそれぞれに関する識別データを含む、ダウンリンクベアラタイミングレジスタ１４０’、アップリンクベアラタイミングレジスタ１４２’、ダウンリンクＦＥＣタイミングレジスタ１４４’、およびアップリンクＦＥＣタイミングレジスタ１４６’の現在の各集合におけるレジスタにアクセスし、当該レジスタから、現在の同期データおよび将来の同期データを得る。
【０１０２】
現在の同期データに従って、ＦＥＣトランスバンド中央局１０４は、将来の同期データを示す制御データで符号化されたベアラデータパケットを、現在のダウンリンク時間フレーム１０８（１）の指定された各帯域内時間スロット１０９（１）の間に各ＦＥＣトランスバンド遠隔局１０６に送信し、現在のアップリンク時間フレーム１０８（２）の指定された各帯域内時間スロット１０９（２）の間に各ＥＥＣトランスバンド遠隔局１０６からベアラデータパケットを受信する。現在の同期データに従って、ＦＥＣトランスバンド中央局１０４は、現在のダウンリンク時間フレーム１０８（１）の指定された各帯域外時間スロット１１１（１）の間に、現時点で誤り訂正データパケットを受信するように指定された各ＦＥＣトランスバンド遠隔局１０６に誤り訂正データパケットを送信し、現在のアップリンク時間フレーム１０８（２）の指定された各帯域外時間スロット１１１（２）の間に、現時点で誤り訂正データパケットを送信するように指定された各ＦＥＣトランスバンド遠隔局１０６から誤り訂正データパケットを受信する。
【０１０３】
ステップ１６０では、ＦＥＣトランスバンド中央局のプロセッサ１１２’が、将来の同期データを、ダウンリンクベアラタイミングレジスタ１４０’、アップリンクベアラタイミングレジスタ１４２’、ダウンリンクＦＥＣタイミングレジスタ１４４’およびアップリンクＦＥＣタイミングレジスタ１４６’の集合における関連するレジスタの中の現在の同期データに繰り越す。
【０１０４】
ステップ１６２では、ＦＥＣトランスバンド中央局１０４が、次のダウンリンク時間フレーム１０８（２）の指定されたダウンリンクブロードキャスト時間スロット（図示されていない）の間に、ＦＥＣトランスバンド中央局１０４と現在通信していないＦＥＣトランスバンド遠隔局１０６にデータを送信する。例えば、開始側ＦＥＣトランスバンド遠隔局１０６が、先行するアップリンク時間フレーム１０８（２）の間に、ＦＥＣトランスバンド中央局１０４との通信を開始するように要求された場合、ＦＥＣトランスバンド中央局１０４は、このＦＥＣトランスバンド遠隔局１０６に、下記に詳説されるように、将来の同期データをＦＥＣトランスバンド遠隔局１０６に送る制御信号を送信する。
【０１０５】
無線通信システム１００は次にステップ１５２に戻り、ここで、ＦＥＣトランスバンド中央局１０４が、次の時間フレームペア１０８（１）／（２）の開始時に、無線通信システム１００のシステムデータオーバヘッドが変更されなければならないかどうかを判断する。
【０１０６】
ステップ１５２において、ＦＥＣトランスバンド中央局１０４が、現在のアップリンクウィンドウ１０８（２）の開始時に、ＦＥＣトランスバンド中央局１０４との通信を開始しようとする制御信号をＦＥＣトランスバンド遠隔局１０６から受信する場合、ＦＥＣトランスバンド中央局のプロセッサ１１２’は、増加したシステムデータオーバヘッドをサポートする将来の遠隔局割当ての組み合わせを選択することによって開始側ＦＥＣトランスバンド遠隔局１０６を収容する。
【０１０７】
ステップ１６４では、ＦＥＣトランスバンド中央局のプロセッサ１１２’が、ダウンリンク時間スロットレジスタ１４８’およびアップリンク時間スロットレジスタ１５０’の各集合にアクセスし、これにより、時間スロット１１０のタイプと、時間スロット１１０に現在割り当てられているＦＥＣトランスバンド遠隔局１０６の識別情報およびオーバヘッド定格と、時間スロット１１０に現在割り当てられているＦＥＣトランスバンド遠隔局１０６の遅延感度（ＦＥＣトランスバンド遠隔局１０６にそれぞれ電気的に接続された入出力装置１１４の遅延感度に起因する）とを示す、各時間スロット１１０に係るデータを得る。
【０１０８】
将来の遠隔局割当ての組み合わせは、ステップ１６６と１６８で決定される。ステップ１６６では、開始側遠隔局１０６には、帯域内時間スロットペア１０９（１）／（２）として未使用の時間スロットペア１１０（１）／（２）が割り当てられる。ステップ１６８では、開始された遠隔局１０６に、帯域外時間スロットペア１１１（１）／（２）が割り当てられる。好ましくは、開始側遠隔局１０６は、帯域外部分時間スロットペア１１１（１）／（２）’（つまり、現在使用されている帯域外時間スロットペア１１１（１）／（２））に割り当てられる。このようにして、使用される帯域外時間スロットペア１１１（１）／（２）の個数は最小化され、このことは、帯域内時間スロットペア１０９（１）／（２）として将来使用するための未使用の時間スロットペア１１０（１）／（２）の個数を最大化する。例えば、ある時点において、４０％と３０％というオーバヘッド定格をそれぞれ有する２つの遠隔局１０６が帯域外時間スロットペア１１１（１）／（２）’に割り当てられている場合、その帯域外時間スロットペア１１１（１）／（２）’に、３０％のオーバヘッド定格を有する開始側遠隔局１０６を割り当てて１００％の合計オーバヘッドを生じさせることができ、それによりその帯域外時間スロットペア１１１（１）／（２）を完全に利用することができる。ただし、開始側遠隔局１０６を帯域外部分時間スロットペア１１１（１）／（２）に割り当てることは、遅延に敏感ないずれかの遠隔局１０６の通信品質を不当に劣化させたり、中央局／遠隔局の能力を超えたりするように行われてはならない。すなわち、ある特定の帯域外部分時間スロットペア１１１（１）／（２）’に割り当てられる遠隔局１０６の個数が増えるにつれて、これらの各遠隔局１０６が受ける遅延も増加するという事実は正当に考慮されなければならない。
【０１０９】
ＦＥＣトランスバンド中央局のプロセッサ１１２’が将来の遠隔局割当ての組み合わせ（つまり、開始側かつ現在のＦＥＣトランスバンド遠隔局１０６に対する時間スロットペア１１０（１）／（２）の割当て）を決定した後、無線通信システム１００はステップ１７０に進み、ここで、ＦＥＣトランスバンド中央局のプロセッサ１１２’は、改定された時間スロットデータにより、ダウンリンク時間スロットレジスタ１４８’の集合およびアップリンク時間スロットレジスタ１５０’の集合を更新する。ここで、改定された時間スロットデータは、時間スロット１１０のタイプと、時間スロット１１０に現在割り当てられているＦＥＣトランスバンド遠隔局１０６の識別情報およびオーバヘッド定格と、時間スロット１１０に現在割り当てられているＦＥＣトランスバンド遠隔局１０６の遅延感度とを示す改定されたデータを含む。
【０１１０】
開始側ＦＥＣトランスバンド遠隔局１０６が帯域内時間スロットペア１０９（１）／（２）に割り当てられた後、あるいはＦＥＣトランスバンド中央局１０４が、ＦＥＣトランスバンド中央局１０４との通信を開始しようとするＦＥＣトランスバンド遠隔局１０６から制御信号を受信しなかった場合に、無線通信システム１００はステップ１５２に進み、ここで、ＦＥＣトランスバンド中央局１０４が、現在の時間フレームペア１０８（１）／（２）の間に、ＦＥＣトランスバンド中央局１０４と現在通信中であるＦＥＣトランスバンド遠隔局１０６が、ＦＥＣトランスバンド中央局１０４との通信を終了しようとするかどうかを判断する。
【０１１１】
ステップ１５２で、ＦＥＣトランスバンド中央局１０４が、ＦＥＣトランスバンド中央局１０４との通信を終了しようとするＦＥＣトランスバンド遠隔局１０６から制御信号を受信すると、ＦＥＣトランスバンド中央局は、帯域内時間スロットペア１０９（１）／（２）として使用するために利用可能な未使用の時間スロットペア１１０（１）／（２）の量を最大化するような将来の遠隔局割当ての組み合わせを選択することにより、ＦＥＣトランスバンド遠隔局１０６の終了に対処する。この選択は、以前に割り当てられた帯域内時間スロットペア１１０（１）／（２）および帯域外時間スロットペア１１１（１）／（２）から遠隔局１０６への割当てを終了することによって、必要な場合にはさらに、中央局／遠隔局の能力を超えることなく、帯域外時間スロットペア１１１（１）／（２）への遠隔局１０６の現在の割当てを変更することによって行われる。
【０１１２】
ステップ１７２で、ＦＥＣトランスバンド中央局のプロセッサ１１２’は、ダウンリンク時間スロットレジスタ１４８’およびアップリンク時間スロットレジスタ１５０’の各集合にアクセスし、これにより、時間スロット１１０のタイプと、時間スロット１１０に現在割り当てられているＦＥＣトランスバンド遠隔局１０６の識別情報およびオーバヘッド定格と、時間スロット１１０に現在割り当てられているＦＥＣトランスバンド遠隔局１０６の遅延感度とを示す、各時間スロット１１０に係るデータを得る。
【０１１３】
将来の遠隔局割当ての組み合わせは、ステップ１７４と１７６で確定される。ステップ１７４では、終了側ＦＥＣトランスバンド遠隔局１０６の割当てが、帯域内時間スロットペア１０９（１）／（２）から終了され、これにより、空にされた帯域内時間スロットペア１０９（１）／（２）から未使用の時間スロットペア１１０（１）／（２）を生じさせる。
【０１１４】
ステップ１７６では、終了側ＦＥＣトランスバンド遠隔局１０６の割当ては、帯域外時間スロットペア１１１（１）／（２）から終了される。空にされた帯域外時間スロットペア１１１（１）／（２）に以前に割り当てられていた終了側ＦＥＣトランスバンド遠隔局１０６が唯一のＦＥＣトランスバンド遠隔局１０６であった場合、つまり終了側ＦＥＣトランスバンド遠隔局１０６が帯域外部分時間スロットペア１１１（１）／（２）を利用しなかった場合に、空にされた帯域外時間スロットペア１１１（１）／（２）から未使用の時間スロットペア１１０（１）／（２）が生じる。終了側ＦＥＣトランスバンド遠隔局１０６が帯域外部分時間スロットペア１１１（１）／（２）を利用した場合（つまり、帯域外時間スロットペア１１１（１）／（２）が、他の複数のＦＥＣトランスバンド遠隔局１０６によって共用された場合）、ＦＥＣトランスバンド遠隔局１０６の終了は、その帯域外時間スロットペア１１１（１）／（２）によって現在サポートされているオーバヘッドを減少させる。この場合、解消されるオーバヘッドは、現在の遠隔局１０６により使用されてよく、これにより、帯域外時間スロットペア１１１（１）／（２）を空にし、未使用の時間スロットペア１１０（１）／（２）にすることができる。
【０１１５】
従って、このような再割当てを行うことにより、以前に占有されていた帯域外時間スロットペア１１１（１）／（２）から未使用の時間スロットペア１１０（１）／（２）を生じさせることができる場合、残りの遠隔局１０６が再割り当てされる。例えば、４０％のオーバヘッド定格をそれぞれ有する２つの遠隔局１０６が帯域外部分時間スロットペア１１１（１）／（２）を共用し、これらの遠隔局１０６のうちの一方が終了される場合、最大で６０％までの合計オーバヘッド定格を有する１つまたは複数の遠隔局１０６を、帯域外時間スロットペア１１１（１）／（２）からこの帯域外部分時間スロットペア１１１（１）／（２）’に再割り当てすることができ、それにより未使用の時間スロットペア１１０（１）／（２）を帯域外時間スロットペア１１１（１）／（２）から生じさせることができる。遠隔局１０６を帯域外部分時間スロットペア１１１（１）／（２）へ再割当てすることが、遅延に敏感ないずれかの遠隔局１０６の通信品質を不当に劣化させたり、中央局／遠隔局の能力を超えたりするように行われてはならないことに再び注意する。
【０１１６】
ＦＥＣトランスバンド中央局のプロセッサ１１２’が、現在のＦＥＣトランスバンド遠隔局１０６のための時間スロットペア１１０（１）／（２）の再割当てを確定した後、無線通信システム１０はステップ１７８に進み、ここで、ＦＥＣトランスバンド中央局のプロセッサ１１２’が、改定された時間スロットデータにより、ダウンリンク時間スロットレジスタ１４８’の集合およびアップリンク時間スロットレジスタ１５０’の集合を更新する。ここで、改定された時間スロットデータは、時間スロット１１０のタイプと、時間スロット１１０に現在割り当てられているＦＥＣトランスバンド遠隔局１０６の識別情報およびオーバヘッド定格と、時間スロット１１０に現在割り当てられているＦＥＣトランスバンド遠隔局１０６の遅延感度とを示す改定されたデータを含む。
【０１１７】
ＦＥＣトランスバンド遠隔局１０６とＦＥＣトランスバンド中央局１０４との間の通信が終了した後、あるいはＦＥＣトランスバンド中央局１０４が、ＦＥＣトランスバンド中央局１０４との通信を終了しようとするＦＥＣトランスバンド遠隔局１０６からの制御信号を一度も受信しなかった場合、無線通信システム１００はステップ１５２に進み、ここで、ＦＥＣトランスバンド中央局１０４が、現在の時間フレームペア１０８（１）／（２）の間に、ＦＥＣトランスバンド中央局１０４と現在通信中であるＦＥＣトランスバンド遠隔局１０６がそのオーバヘッド定格を調整しようとするかどうかを判断する。遠隔局がそのオーバヘッド定格を動的に変更するように適応されている無線通信システムについてのさらなる詳細は、ここに参照して完全にかつ明示的に組み込まれている同時係属中の米国特許出願番号第０９／３１４，５７８号に開示されている。
【０１１８】
ＦＥＣトランスバンド中央局１０４が、そのオーバヘッド定格を調整しようとするＦＥＣトランスバンド遠隔局１０６から制御信号を受信すると、ＦＥＣトランスバンド中央局のプロセッサ１１２’は、以下のような将来の遠隔局割当ての組み合わせを選択することによって、オーバヘッドの変更に対処する。ここで、将来の遠隔局割当ての組み合わせは、オーバヘッドが増加する場合には、増加したシステムデータオーバヘッドをサポートするように選択され、オーバヘッドが減少する場合には、帯域外時間スロットペア１１１（１）／（２）への遠隔局１０６の現在の割当てを必要な場合に変更することによって、帯域内時間スロットペア１０９（１）／（２）としての使用に利用可能な未使用の時間スロットペア１１０（１）／（２）の量を最大化するように選択される。
【０１１９】
ステップ１８０では、ＦＥＣトランスバンド中央局のプロセッサ１１２’は、ダウンリンク時間スロットレジスタ１４８’およびアップリンク時間スロットレジスタ１５０’の各集合にアクセスして、時間スロット１１０のタイプと、時間スロット１１０に現在割り当てられているＦＥＣトランスバンド遠隔局１０６の識別情報およびオーバヘッド定格と、時間スロット１１０に現在割り当てられているＦＥＣトランスバンド遠隔局１０６の遅延感度とを示す、各時間スロット１１０に係るデータを得る。
【０１２０】
将来の遠隔局割り当て組み合わせは、ステップ１８２、１８４および１８６で確定される。ステップ１８２では、ＦＥＣトランスバンド中央局のプロセッサ１１２’は、最初に、オーバヘッド変更側ＦＥＣトランスバンド遠隔局１０６がオーバヘッド定格の増加を要求するのか、それともオーバヘッド定格の減少を要求するのかを判断する。オーバヘッド変更側ＦＥＣトランスバンド遠隔局１０６がそのオーバヘッド定格の減少を要求する場合、遠隔局１０６が現在割り当てられている帯域外時間スロットペア１１１（１）／（２）のオーバヘッドは減少する。従って、ステップ１８４では、このような再割当てを行うことにより、以前に占有された帯域外時間スロットペア１１１（１）／（２）から未使用の時間スロットペア１１０（１）／（２）を生じさせることができる場合には、遠隔局１０６は再割り当てされる。例えば、４０％のオーバヘッド定格をそれぞれ有する２つの遠隔局１０６が帯域外部分時間スロットペア１１１（１）／（２）を共用し、これらの遠隔局１０６のうちの一方のオーバヘッド定格が２０％に減少する場合、最大で４０％までの合計オーバヘッド定格を有する１つまたは複数の遠隔局１０６を、帯域外時間スロットペア１１１（１）／（２）からこの帯域外部分時間スロットペア１１１（１）／（２）’に再割り当てし、それにより未使用の時間スロットペア１１０（１）／（２）を帯域外時間スロットペア１１１（１）／（２）から生じさせることができる。
【０１２１】
ステップ１８０で、オーバヘッド変更側ＦＥＣトランスバンド遠隔局１０６がそのオーバヘッド定格の増加を要求する場合、遠隔局１０６が現在割り当てられている帯域外時間スロットペア１１１（１）／（２）のオーバヘッドは増加する。従って、ステップ１８６で、そのオーバヘッド定格の増加を要求する遠隔局１０６が、ある帯域外部分時間スロットペア１１１（１）／（２）に現在割り当てられ、このオーバヘッドの増加が当該帯域外部分時間スロットペア１１１（１）／（２）’のオーバヘッド容量を越える場合、遠隔局１０６は別の帯域外時間スロットペア１１１（１）／（２）または帯域外部分時間スロットペア１１１（１）／（２）’に割り当てられるだろう。例えば、４０％のオーバヘッド定格をそれぞれ有する２つの遠隔局１０６が、１つの帯域外部分時間スロットペア１１１（１）／（２）を共用し、これらの遠隔局１０６のうちの一方のオーバヘッド定格が８０％に増加する場合、この遠隔局１０６は、最大で最高２０％までの合計オーバヘッド定格を有する１つまたは複数の遠隔局１０６が現在割り当てられている帯域外部分時間スロットペア１１１（１）／（２）’に、再割り当てすることができる。
【０１２２】
ＦＥＣトランスバンド中央局のプロセッサ１１２’が、現在のＦＥＣトランスバンド遠隔局１０６の時間スロットペア１１０（１）／（２）の割当てを確定した後、無線通信システムはステップ１８８に進み、ここで、ＦＥＣトランスバンド中央局のプロセッサ１１２’が、改定された時間スロットデータにより、ダウンリンク時間スロットレジスタ１４８’の集合およびアップリンク時間スロットレジスタ１５０’の集合を更新する。ここで、改定された時間スロットデータは、時間スロット１１０のタイプと、時間スロット１１０に現在割り当てられているＦＥＣトランスバンド遠隔局１０６の識別情報およびオーバヘッド定格と、時間スロット１１０に現在割り当てられているＦＥＣトランスバンド遠隔局１０６の遅延感度とを示す改定されたデータを含む。
【０１２３】
それから、無線通信システム１００はステップ１５４から１６２に進み、ここで、ＦＥＣトランスバンド中央局１０４とＦＥＣトランスバンド遠隔局１０６の間の通信が提供される。ステップ１５６で、無線通信システム１００が、ダウンリンクベアラタイミングレジスタ１４０’、アップリンクベアラタイミングレジスタ１４２’、ダウンリンクＦＥＣタイミングレジスタ１４４’、およびアップリンクＦＥＣタイミングレジスタ１４６’の各集合における将来の同期データを確定するときに、システムデータオーバヘッドの変更を考慮に入れるという点を除き、ステップ１５４から１６２は前述の場合と同様に実行される。
【０１２４】
ＦＥＣトランスバンド遠隔局１０６の開始後に無線通信システム１００がステップ１５６にあるとき、ＦＥＣトランスバンド中央局のプロセッサ１１２’は、レジスタの各集合における現在未使用のレジスタを選択し、開始側ＦＥＣトランスバンド遠隔局１０６に関する識別データをその中に記憶する。ＦＥＣトランスバンド中央局のプロセッサ１１２’は、システムオーバヘッドの変更を考慮に入れ、ダウンリンクベアラタイミングレジスタ１４０’、アップリンクベアラタイミングレジスタ１４２’、ダウンリンクＦＥＣタイミングレジスタ１４４’およびアップリンクＦＥＣタイミングレジスタ１４６’の各集合におけるレジスタに、遠隔局１０６に関する将来の同期データを記憶する。
【０１２５】
すなわち、遠隔局１０６の開始と、その後に結果的に生じるシステムデータオーバヘッドの増加に起因して、誤り訂正データパケットシーケンスの周期的なパターンが変更される。例えば、図１１は、３つのトランスバンド遠隔局１０６（ＦＥＣトランスバンド遠隔局１から３）が２０％、５０％、および１０％のオーバヘッド定格をそれぞれ有し、かつ以下の周期的なパターンを達成する誤り訂正データパケットシーケンスを示す。ここで、達成される周期的なパターンは、時間フレーム６で開始し、７つの時間フレームごとに繰り返す（つまり、ＦＥＣトランスバンド遠隔局１から３は、「２」→「１」→「２」→「２」→「１」→「２」→「３」の順序で誤り訂正データパケットを受信する。）ものである。２０％のオーバヘッドを有する開始側ＦＥＣトランスバンド遠隔局（ＦＥＣトランスバンド遠隔局４）が時間フレーム２０において通信を開始すると、周期的なパターンは以下のように変化する。時間フレーム２８で開始し、１０個の時間フレームごとに繰り返し、ＦＥＣトランスバンド遠隔局１から４は、「４」→「２」→「１」→「２」→「２」→「４」→「２」→「１」→「２」→「３」の順序で誤り訂正データを受信する。
【０１２６】
ＦＥＣトランスバンド遠隔局１０６の終了後に無線通信システム１００がステップ１５６にあるとき、ＦＥＣトランスバンド中央局のプロセッサ１１２’は、ダウンリンクベアラタイミングレジスタ１４０’、アップリンクベアラタイミングレジスタ１４２’、ダウンリンクＦＥＣタイミングレジスタ１４４’およびアップリンクＦＥＣタイミングレジスタ１４６’の各集合におけるレジスタの中の、終了側ＦＥＣトランスバンド遠隔局１０６に関するすべての識別データと現在および将来の同期データとを削除する。それから、ＦＥＣトランスバンド中央局のプロセッサ１１２’は、システムオーバヘッドの変化を考慮に入れて、ダウンリンクベアラタイミングレジスタ１４０’、アップリンクベアラタイミングレジスタ１４２’、ダウンリンクＦＥＣタイミングレジスタ１４４’およびアップリンクＦＥＣタイミングレジスタ１４６’の各集合におけるレジスタに、遠隔局１０６に関する将来の同期データを記憶する。
【０１２７】
すなわち、ＦＥＣトランスバンド遠隔局１０６の終了と、その後に結果的に生じるシステムデータオーバヘッドの減少とに起因して、誤り訂正データパケットシーケンスの周期的パターンが変更される。例えば、図１２は、３つのＦＥＣトランスバンド遠隔局１０６（ＦＥＣトランスバンド遠隔局１から３）が、２０％、５０％、および１０％のオーバヘッド定格をそれぞれ有し、かつ以下の周期的なパターンを達成する誤り訂正データパケットシーケンスを示す。ここで、達成される周期的なパターンは、時間フレーム６で開始し、７つの時間フレームごとに繰り返す（つまり、ＦＥＣトランスバンド遠隔局１から３が、「２」→「１」→「２」→「２」→「１」→「２」→「３」の順序で誤り訂正データパケットを受信する。）ものである。１０％のオーバヘッドを有するＦＥＣトランスバンド遠隔局（ＦＥＣトランスバンド遠隔局３）が時間フレーム２０においてＦＥＣトランスバンド中央局１０４との通信を終了する場合、周期的なパターンは以下のように変化する。時間フレーム２２で開始し、３つの時間フレームごとに繰り返し、ＦＥＣトランスバンド遠隔局１から２は、「２」→「２」→「１」の順序で誤り訂正データパケットを受信する。
【０１２８】
ＦＥＣトランスバンド遠隔局１０６のオーバヘッド定格の変更後に無線通信システム１００がステップ１５６にあるとき、ＦＥＣトランスバンド中央局のプロセッサ１１２’は、システムオーバヘッドの変化を考慮に入れて、ダウンリンクベアラタイミングレジスタ１４０’、アップリンクベアラタイミングレジスタ１４２’、ダウンリンクＦＥＣタイミングレジスタ１４４’およびアップリンクＦＥＣタイミングレジスタ１４６’の各集合におけるレジスタに、開始側遠隔局１０６および現在の遠隔局１０６に関する将来の同期データを記憶する。
【０１２９】
すなわち、遠隔局１０６のオーバヘッド定格の変更と、その後に結果的に生じるシステムデータオーバヘッドの変更に起因して、誤り訂正データパケットシーケンスの周期的なパターンが変更される。例えば、図１３は、３つのＦＥＣトランスバンド遠隔局１０６（ＦＥＣトランスバンド遠隔局１から３）が、２０％、５０％、および１０％のオーバヘッド定格をそれぞれ有し、かつ以下の周期的なパターンを達成する誤り訂正データパケットシーケンスを示す。ここで、達成される周期的なパターンは、時間フレーム６で開始し、７つの時間フレームごとに繰り返す（つまり、ＦＥＣトランスバンド遠隔局１から３が、「２」→「１」→「２」→「２」→「１」→「２」→「３」の順序で誤り訂正データパケットを受信する。）ものである。ＦＥＣトランスバンド遠隔局２のオーバヘッド定格が、時間フレーム２０において５０％から２０％に変更される場合、周期的なパターンは以下のように変化する。時間フレーム２２で開始し、８つの時間フレームごとに繰り返し、ＦＥＣトランスバンド遠隔局１から２は、誤り訂正データパケットを「２」→「３」→「１」→「２」→「１」→「３」→「２」→「１」の順序で受信する。
【０１３０】
無線通信システム１００は、アップリンク／ダウンリンク時間フレームペア１０８（１）／（２）ではなく単一ダウンリンク／アップリンク時間フレーム１８（３）が利用されるという点を除き、ＴＤＭＡ／ＴＤＤフォーマットにおいても、前述された場合と同様に動作することができる。無線通信システム１００は、前述された双方向モードではなく、片方向モードでも動作可能である。すなわち、ベアラデータパケットおよび誤り訂正パケットは、ダウンリンク伝送およびアップリンク伝送のうちの両方ではなく一方のみとしてＦＥＣトランスバンド中央局１０４とＦＥＣトランスバンド遠隔局１０６の間で伝送される。
【０１３１】
本発明は、前述された無線通信システムに限られず、例えば、衛星ベースの通信システムなどのその他の種類の無線通信システム、あるいは例えばＬＡＮシステムまたは光ファイバネットワークなどのその他の種類の有線ベースのシステムを含んでよい。
【０１３２】
このようにして、通信システムのデータスループットを改善するための改善された装置および方法が開示される。本発明の実施態様および応用が示され、説明されてきたが、さらに多くの修正が本発明の概念から逸脱することなく可能であることが、当業者には明らかだろう。
【０１３３】
したがって、本発明は、特許請求の範囲に係る精神以外によって制限されるものではない。
【図面の簡単な説明】
【図１】  図１は、複数のＦＥＣトランスバンド遠隔局と通信しているＦＥＣトランスバンド中央局を示す無線通信システムセルの代表的なブロック図である。
【図２】  図２は、ＴＤＭＡ／ＦＤＤフォーマットを有し、複数の未使用の時間スロット、帯域内時間スロット、および帯域外時間スロットに分割されたダウンリンク時間フレームとアップリンク時間フレームを描く。
【図３】  図３は、ＴＤＭＡ／ＴＤＤフォーマットを有し、複数の未使用の時間スロット、帯域内時間スロット、および帯域外時間スロットに分割されたダウンリンク／アップリンク時間フレームを描く。
【図４】  図４は、ＦＥＣトランスバンド中央局と、ＦＥＣトランスバンド遠隔局のうちの１つとを示す代表的なブロック図である。
【図５】  図５は、ＦＥＣトランスバンド遠隔局のプロセッサの代表的なブロック図である。
【図６】  図６は、ＦＥＣトランスバンド中央局のプロセッサの代表的なブロック図である。
【図７】  図７は、ＦＥＣトランスバンド中央局と複数のＦＥＣトランスバンド遠隔局の間でベアラデータおよび誤り訂正データを送受信し、遠隔局割当ての組み合わせを動的に調整するためのプロトコルを示すフロー図である。
【図８】  図８は、複数の時間フレームにわたって帯域外時間スロットを共用する３つのＦＥＣトランスバンド遠隔局の誤り訂正データ蓄積および誤り訂正データ伝送順序を示す図表である。
【図９】  図９は、複数の時間フレームにわたって帯域外時間スロットを共用する３つのＦＥＣトランスバンド遠隔局の誤り訂正データ蓄積および誤り訂正データ伝送順序を示す図表である。
【図１０】  図１０は、複数の時間フレームにわたって帯域外時間スロットを共用する３つのＦＥＣトランスバンド遠隔局の誤り訂正データ蓄積および誤り訂正データ伝送順序を示す図表である。
【図１１】  図１１は、複数の時間フレームにわたって帯域外時間スロットを共用する４つの遠隔局に関し、そのうちの１つが開始側ＦＥＣトランスバンド遠隔局であるときの誤り訂正データ蓄積および誤り訂正データ伝送順序を示す図表である。
【図１２】  図１２は、複数の時間フレームにわたって帯域外時間スロットを共用する３つのＦＥＣトランスバンド遠隔局に関し、そのうちの１つが終了側ＦＥＣトランスバンド遠隔局であるときの誤り訂正データ蓄積および誤り訂正データ伝送順序を示す図表である。
【図１３】  図１３は、複数の時間フレームで帯域外時間スロットを共用する３つのＦＥＣトランスバンド遠隔局に関し、そのうちの１つの誤り訂正データのオーバヘッド定格が変更されるときの、誤り訂正データ蓄積および誤り訂正データ伝送順序を示す図表である。
【誤訳訂正２】
【訂正対象書類名】図面
【訂正対象項目名】図４
【訂正方法】変更
【訂正の内容】
【図４】
【誤訳訂正３】
【訂正対象書類名】図面
【訂正対象項目名】図７
【訂正方法】変更
【訂正の内容】
【図７】